(57)【要約】  本発明は、スマートハウスの分野に属し、データ通信システム、方法、装置、プログラム、及び記録媒体に関する。前記システムは、サーバーと、Ｚｉｇｂｅｅゲートウェイと、少なくとも１つのＺｉｇｂｅｅ機器とを含み、サーバーは、Ｚｉｇｂｅｅ機器のＩＤを有する制御指令を受信し、Ｚｉｇｂｅｅゲートウェイへ制御指令を転送するように構成され、Ｚｉｇｂｅｅゲートウェイは、サーバーが送信した制御指令を標的ネットワークチップを用いて受信し、制御指令に含まれるＺｉｇｂｅｅ機器のＩＤを取得し、Ｚｉｇｂｅｅチップを用いて、対応するＺｉｇｂｅｅ機器へ制御指令を転送するように構成され、Ｚｉｇｂｅｅ機器は、Ｚｉｇｂｅｅ機器によって転送された制御指令を受信するように構成され、標的ネットワークチップに対応するネットワークタイプはＺｉｇｂｅｅネットワークのネットワークタイプと異なる。【選択図】図１
2017535084.tif 000002
【特許請求の範囲】
【請求項１】
データ通信システムであって、サーバーと、前記サーバーに接続するＺｉｇｂｅｅゲートウェイと、前記Ｚｉｇｂｅｅゲートウェイに接続する少なくとも１つのＺｉｇｂｅｅ機器を含み、前記Ｚｉｇｂｅｅゲートウェイには、標的ネットワークチップ及びＺｉｇｂｅｅチップが同時に設置され、
前記サーバーは、前記Ｚｉｇｂｅｅ機器のＩＤを有する制御指令を受信するように構成され、
前記サーバーは、前記Ｚｉｇｂｅｅゲートウェイへ前記制御指令を転送するように構成され、
前記Ｚｉｇｂｅｅゲートウェイは、前記サーバーが送信した前記制御指令を前記標的ネットワークチップを用いて受信し、前記制御指令に含まれる前記Ｚｉｇｂｅｅ機器のＩＤを取得し、前記Ｚｉｇｂｅｅチップを用いて、対応する前記Ｚｉｇｂｅｅ機器へ前記制御指令を転送するように構成され、
前記Ｚｉｇｂｅｅ機器は、前記Ｚｉｇｂｅｅ機器によって転送された前記制御指令を受信するように構成され、
前記標的ネットワークチップに対応するネットワークタイプはＺｉｇｂｅｅネットワークのネットワークタイプと異なることを特徴とする
データ通信システム。
【請求項２】
前記制御指令は、さらに、前記ＺｉｇｂｅｅゲートウェイのＩＤを有し、
前記サーバーは、前記制御指令に含まれる前記ＺｉｇｂｅｅゲートウェイのＩＤを取得し、前記ＺｉｇｂｅｅゲートウェイのＩＤに基づいて前記Ｚｉｇｂｅｅゲートウェイへ前記制御指令を転送するように構成されることを特徴とする
請求項１に記載のシステム。
【請求項３】
前記サーバーは、前記Ｚｉｇｂｅｅ機器のＩＤに基づいて、予め記憶した対応関係から前記ＺｉｇｂｅｅゲートウェイのＩＤを検索し、前記ＺｉｇｂｅｅゲートウェイのＩＤを前記制御指令に追加し、前記ＺｉｇｂｅｅゲートウェイのＩＤに基づいて前記Ｚｉｇｂｅｅゲートウェイへ前記制御指令を送信するように構成されることを特徴とする
請求項１に記載のシステム。
【請求項４】
前記Ｚｉｇｂｅｅ機器は、さらに、前記Ｚｉｇｂｅｅゲートウェイにアクセスする場合、前記ＺｉｇｂｅｅゲートウェイのＩＤと前記Ｚｉｇｂｅｅ機器のＩＤとの間の前記対応関係を、前記サーバーへ報告するように構成され、
前記サーバーは、前記対応関係を記憶するように構成されることを特徴とする
請求項３に記載のシステム。
【請求項５】
前記標的ネットワークチップに対応するネットワークタイプはワイヤレスフィデリティ（ＷｉＦｉ）ネットワークであり、
前記Ｚｉｇｂｅｅ機器のＩＤが媒体アクセス制御ＭＡＣアドレスであり、
前記ＺｉｇｂｅｅゲートウェイのＩＤは、機器ＩＤであることを特徴とする
請求項２〜４のいずれか１項に記載のシステム。
【請求項６】
データ通信方法であって、
Ｚｉｇｂｅｅ機器のＩＤを有する制御指令を受信し、
標的ネットワークチップを用いて前記制御指令を受信すること、前記制御指令に含まれる前記Ｚｉｇｂｅｅ機器のＩＤを取得すること、及び、Ｚｉｇｂｅｅチップを用いて前記Ｚｉｇｂｅｅ機器のＩＤに対応する前記Ｚｉｇｂｅｅ機器へ前記制御指令を転送することのために用いられるＺｉｇｂｅｅゲートウェイへ、前記制御指令を転送すること、を含み、
前記標的ネットワークチップに対応するネットワークタイプはＺｉｇｂｅｅネットワークのネットワークタイプと異なることを特徴とする
データ通信方法。
【請求項７】
前記制御指令がＺｉｇｂｅｅ機器のＩＤを有し、
前記Ｚｉｇｂｅｅゲートウェイへ前記制御指令を転送することは、
前記制御指令に含まれる前記ＺｉｇｂｅｅゲートウェイのＩＤを取得し、
前記ＺｉｇｂｅｅゲートウェイのＩＤに基づいて、前記Ｚｉｇｂｅｅゲートウェイへ前記制御指令を転送すること、を含むことを特徴とする
請求項６に記載の方法。
【請求項８】
前記Ｚｉｇｂｅｅゲートウェイへ前記制御指令を転送することは、
前記Ｚｉｇｂｅｅ機器のＩＤに基づいて、予め記憶した対応関係から前記ＺｉｇｂｅｅゲートウェイのＩＤを検索し、
前記ＺｉｇｂｅｅゲートウェイのＩＤを前記制御指令に追加し、
前記ＺｉｇｂｅｅゲートウェイのＩＤに基づいて、前記Ｚｉｇｂｅｅゲートウェイへ前記制御指令を送信すること、を含むことを特徴とする
請求項６に記載の方法。
【請求項９】
前記Ｚｉｇｂｅｅ機器から送信した、前記Ｚｉｇｂｅｅ機器の前記Ｚｉｇｂｅｅゲートウェイにアクセスする際に報告した前記ＺｉｇｂｅｅゲートウェイのＩＤと前記Ｚｉｇｂｅｅ機器のＩＤとの間の前記対応関係、を受信し、
前記対応関係を記憶することを、さらに含むことを特徴とする
請求項８に記載の方法。
【請求項１０】
前記標的ネットワークチップに対応するネットワークタイプは、ワイヤレスフィデリティ（ＷｉＦｉ）ネットワークであり、
前記Ｚｉｇｂｅｅ機器のＩＤが媒体アクセス制御ＭＡＣアドレスであり、
前記ＺｉｇｂｅｅゲートウェイのＩＤは、機器ＩＤであることを特徴とする
請求項６〜９のいずれか１項に記載の方法。
【請求項１１】
データ転送装置であって、
Ｚｉｇｂｅｅ機器のＩＤを有する制御指令を受信するように構成される第１の受信モジュールと、
標的ネットワークチップを用いて前記制御指令を受信すること、前記制御指令に含まれる前記Ｚｉｇｂｅｅ機器のＩＤを取得すること、及びＺｉｇｂｅｅチップを用いて前記Ｚｉｇｂｅｅ機器のＩＤに対応する前記Ｚｉｇｂｅｅ機器へ前記制御指令を転送することのために用いられる、Ｚｉｇｂｅｅゲートウェイへ、前記制御指令を転送するように構成される送信モジュールと、を含み、
前記標的ネットワークチップに対応するネットワークタイプはＺｉｇｂｅｅネットワークのネットワークタイプと異なることを特徴とする
データ転送装置。
【請求項１２】
前記制御指令は、さらに、前記ＺｉｇｂｅｅゲートウェイのＩＤを有し、
前記送信モジュールは、前記制御指令に含まれる前記ＺｉｇｂｅｅゲートウェイのＩＤを取得し、前記ＺｉｇｂｅｅゲートウェイのＩＤに基づいて前記Ｚｉｇｂｅｅゲートウェイへ前記制御指令を転送するように構成されることを特徴とする
請求項１１に記載の装置。
【請求項１３】
前記Ｚｉｇｂｅｅ機器のＩＤに基づいて、予め記憶した対応関係から前記ＺｉｇｂｅｅゲートウェイのＩＤを検索するように構成される検索モジュールをさらに含み、
前記送信モジュールは、前記ＺｉｇｂｅｅゲートウェイのＩＤを前記制御指令に追加し、前記ＺｉｇｂｅｅゲートウェイのＩＤに基づいて前記Ｚｉｇｂｅｅゲートウェイへ前記制御指令を送信するように構成されることを特徴とする
請求項１１に記載の装置。
【請求項１４】
前記Ｚｉｇｂｅｅ機器から送信した、前記Ｚｉｇｂｅｅ機器の前記Ｚｉｇｂｅｅゲートウェイにアクセスする際に報告した前記ＺｉｇｂｅｅゲートウェイのＩＤと前記Ｚｉｇｂｅｅ機器のＩＤとの間の前記対応関係、を受信するように構成される第２の受信モジュールと、
前記対応関係を記憶するように構成される記憶モジュールと、をさらに含むことを特徴とする
請求項１３に記載の装置。
【請求項１５】
前記標的ネットワークチップに対応するネットワークタイプはワイヤレスフィデリティ（ＷｉＦｉ）ネットワークであり、
前記Ｚｉｇｂｅｅ機器のＩＤが媒体アクセス制御ＭＡＣアドレスであり、
前記ＺｉｇｂｅｅゲートウェイのＩＤは、機器ＩＤであることを特徴とする
請求項１１〜１４のいずれか１項に記載の装置。
【請求項１６】
プロセッサーと
前記プロセッサーで実行可能な指令を記憶するためのメモリと、を含み、
前記プロセッサーは、
Ｚｉｇｂｅｅ機器のＩＤを有する制御指令を受信し、
標的ネットワークチップを用いて前記制御指令を受信すること、前記制御指令に含まれる前記Ｚｉｇｂｅｅ機器のＩＤを取得すること、及びＺｉｇｂｅｅチップを用いて前記Ｚｉｇｂｅｅ機器のＩＤに対応する前記Ｚｉｇｂｅｅ機器へ前記制御指令を転送することのために用いられるＺｉｇｂｅｅゲートウェイへ、前記制御指令を転送するように構成され、
前記標的ネットワークチップに対応するネットワークタイプはＺｉｇｂｅｅネットワークのネットワークタイプと異なることを特徴とする
データ通信装置。
【請求項１７】
制御チップと、
前記制御チップで実行可能な指令を記憶するためのメモリと、
前記制御チップと接続する標的ネットワークチップ及びＺｉｇｂｅｅチップと、を含むＺｉｇｂｅｅゲートウェイであって、
前記制御チップは、
前記標的ネットワークチップを用いて、Ｚｉｇｂｅｅ機器のＩＤを有する制御指令を受信し、
前記制御指令に含まれる前記Ｚｉｇｂｅｅ機器のＩＤを取得し、
前記Ｚｉｇｂｅｅチップを用いて、前記ＩＤに対応する前記Ｚｉｇｂｅｅ機器へ前記制御指令を転送するように構成され、
前記標的ネットワークチップに対応するネットワークタイプはＺｉｇｂｅｅネットワークのネットワークタイプと異なることを特徴とする
Ｚｉｇｂｅｅゲートウェイ。
【発明の詳細な説明】
【技術分野】
【０００１】
本発明は、スマートハウス分野に属し、特にデータ通信システム、方法及び装置に関する。
【背景技術】
【０００２】
Ｚｉｇｂｅｅ（登録商標。以下、同様。）技術は、近距離で双方向の無線通信に適用される技術であって、低消費電力、低速度、低コストという特徴を有する。低消費電力が一層厳しく要求される場合、Ｚｉｇｂｅｅ技術が広く用いられている。
【０００３】
Ｚｉｇｂｅｅ技術を用いる機器は、Ｚｉｇｂｅｅ機器と呼ばれ、Ｚｉｇｂｅｅ機器は、煙霧センサー、スマートランプ等であってもよい。一般的には、１つのＺｉｇｂｅｅネットワークにおいて複数のＺｉｇｂｅｅ機器及び１つのＺｉｇｂｅｅゲートウェイが含まれる。その中で、Ｚｉｇｂｅｅゲートウェイは、各Ｚｉｇｂｅｅ機器のデータ通信を実現するために用いられ、且つインターネットにおけるサーバーまで各Ｚｉｇｂｅｅ機器のデータを送信し、例えば、煙霧センサーで収集された煙霧データを、インターネットにおけるサーバーまで送信する。
【発明の概要】
【発明が解決しようとする課題】
【０００４】
携帯端末がＺｉｇｂｅｅ機器へ制御指令を送信することができないという問題を解決するために、本発明は、データ通信システム、方法及び装置を提供する。
【課題を解決するための手段】
【０００５】
本発明の技術案は、次の通りである。
【０００６】
本発明に係る実施例の第１態様によれば、データ通信システムを提供した。前記システムは、サーバーと、サーバーに接続するＺｉｇｂｅｅゲートウェイと、Ｚｉｇｂｅｅゲートウェイに接続する少なくとも１つのＺｉｇｂｅｅ機器を含み、Ｚｉｇｂｅｅゲートウェイには、標的ネットワークチップ及びＺｉｇｂｅｅチップが同時に設置され、
サーバーは、Ｚｉｇｂｅｅ機器のＩＤ（Identification）を有する制御指令を受信するように構成され、
サーバーは、Ｚｉｇｂｅｅゲートウェイへ制御指令を転送するように構成され、
Ｚｉｇｂｅｅゲートウェイは、サーバーが送信した制御指令を標的ネットワークチップを用いて受信し、制御指令に含まれるＺｉｇｂｅｅ機器のＩＤを取得し、Ｚｉｇｂｅｅチップを用いて、対応するＺｉｇｂｅｅ機器へ制御指令を転送するように構成され、
Ｚｉｇｂｅｅ機器は、Ｚｉｇｂｅｅ機器によって転送された制御指令を受信するように構成され、
標的ネットワークチップに対応するネットワークタイプはＺｉｇｂｅｅネットワークのネットワークタイプと異なる。
【０００７】
選択的な実施例において、制御指令はＺｉｇｂｅｅゲートウェイのＩＤを有し、
サーバーは、制御指令に含まれるＺｉｇｂｅｅゲートウェイのＩＤを取得し、ＺｉｇｂｅｅゲートウェイのＩＤに基づいてＺｉｇｂｅｅゲートウェイへ制御指令を転送するように構成される。
【０００８】
選択的な実施例において、サーバーは、Ｚｉｇｂｅｅ機器のＩＤに基づいて、予め記憶した対応関係からＺｉｇｂｅｅゲートウェイのＩＤを検索し、ＺｉｇｂｅｅゲートウェイのＩＤを制御指令に追加し、ＺｉｇｂｅｅゲートウェイのＩＤに基づいてＺｉｇｂｅｅゲートウェイへ制御指令を送信するように構成される。
【０００９】
選択的な実施例において、Ｚｉｇｂｅｅ機器は、さらに、Ｚｉｇｂｅｅゲートウェイにアクセスする場合、ＺｉｇｂｅｅゲートウェイのＩＤとＺｉｇｂｅｅ機器のＩＤとの間の対応関係を、サーバーへ報告するように構成され、
サーバーは、対応関係を記憶するように構成される。
【００１０】
選択的な実施例において、標的ネットワークチップに対応するネットワークタイプはワイヤレスフィデリティ（ＷｉＦｉ）ネットワークであり、
Ｚｉｇｂｅｅ機器のＩＤが媒体アクセス制御ＭＡＣアドレスであり、
ＺｉｇｂｅｅゲートウェイのＩＤは、機器ＩＤである。
【００１１】
本発明に係る実施例の第２態様によれば、データ通信方法を提供した。前記方法は、
Ｚｉｇｂｅｅ機器のＩＤを有する制御指令を受信し、
標的ネットワークチップを用いて制御指令を受信すること、制御指令に含まれるＺｉｇｂｅｅ機器のＩＤを取得すること、Ｚｉｇｂｅｅチップを用いてＺｉｇｂｅｅ機器のＩＤに対応するＺｉｇｂｅｅ機器へ制御指令を転送することのために用いられるＺｉｇｂｅｅゲートウェイへ、制御指令を転送すること、を含み、
標的ネットワークチップに対応するネットワークタイプはＺｉｇｂｅｅネットワークのネットワークタイプと異なる。
【００１２】
選択的な実施例において、制御指令は、Ｚｉｇｂｅｅ機器のＩＤを有し、
Ｚｉｇｂｅｅゲートウェイへ制御指令を転送することは、
制御指令に含まれるＺｉｇｂｅｅゲートウェイのＩＤを取得し、
ＺｉｇｂｅｅゲートウェイのＩＤに基づいて、Ｚｉｇｂｅｅゲートウェイへ制御指令を転送すること、を含む。
【００１３】
選択的な実施例において、Ｚｉｇｂｅｅゲートウェイへ制御指令を転送することは、
Ｚｉｇｂｅｅ機器のＩＤに基づいて、予め記憶した対応関係からＺｉｇｂｅｅゲートウェイのＩＤを検索し、
ＺｉｇｂｅｅゲートウェイのＩＤを制御指令に追加し、
ＺｉｇｂｅｅゲートウェイのＩＤに基づいて制御指令をＺｉｇｂｅｅゲートウェイに送信すること、を含む。
【００１４】
選択的な実施例において、当該方法は、
Ｚｉｇｂｅｅ機器から送信した、前記Ｚｉｇｂｅｅ機器の前記Ｚｉｇｂｅｅゲートウェイにアクセスする際に報告した前記ＺｉｇｂｅｅゲートウェイのＩＤと前記Ｚｉｇｂｅｅ機器のＩＤとの間の前記対応関係、を受信し、
対応関係を記憶することを、さらに含むことを特徴とする。
【００１５】
選択的な実施例において、標的ネットワークチップに対応するネットワークタイプはワイヤレスフィデリティ（ＷｉＦｉ）ネットワークであり、
Ｚｉｇｂｅｅ機器のＩＤが媒体アクセス制御ＭＡＣアドレスであり、
ＺｉｇｂｅｅゲートウェイのＩＤは、機器ＩＤである。
【００１６】
本発明に係る実施例の第３の態様によれば、データ転送装置を提供した。前記装置は、
Ｚｉｇｂｅｅ機器のＩＤを有する制御指令を受信するように構成される第１の受信モジュールと、
標的ネットワークチップを用いて制御指令を受信すること、制御指令に含まれるＺｉｇｂｅｅ機器のＩＤを取得すること、及びＺｉｇｂｅｅチップを用いてＺｉｇｂｅｅ機器のＩＤに対応するＺｉｇｂｅｅ機器へ制御指令を転送することのために用いられるＺｉｇｂｅｅゲートウェイへ、制御指令を転送するように構成される送信モジュールと、を含み、
標的ネットワークチップに対応するネットワークタイプはＺｉｇｂｅｅネットワークのネットワークタイプと異なる。
【００１７】
選択的な実施例において、制御指令はＺｉｇｂｅｅゲートウェイのＩＤを有し、
送信モジュールは、制御指令に含まれるＺｉｇｂｅｅゲートウェイのＩＤを取得し、ＺｉｇｂｅｅゲートウェイのＩＤに基づいてＺｉｇｂｅｅゲートウェイへ制御指令を転送するように構成される。
【００１８】
選択的な実施例において、当該装置は、
Ｚｉｇｂｅｅ機器のＩＤに基づいて、予め記憶した対応関係からＺｉｇｂｅｅゲートウェイのＩＤを検索するように構成される検索モジュールと、
ＺｉｇｂｅｅゲートウェイのＩＤを制御指令に追加し、ＺｉｇｂｅｅゲートウェイのＩＤに基づいてＺｉｇｂｅｅゲートウェイへ制御指令を送信するように構成される送信モジュールとをさらに含む。
【００１９】
選択的な実施例において、当該装置は、
Ｚｉｇｂｅｅ機器から送信した、Ｚｉｇｂｅｅ機器のＺｉｇｂｅｅゲートウェイにアクセスする際に報告したＺｉｇｂｅｅゲートウェイのＩＤとＺｉｇｂｅｅ機器のＩＤとの間の対応関係、を受信するように構成される第２の受信モジュールと、
対応関係を記憶するように構成される記憶モジュールとをさらに含む。
【００２０】
選択的な実施例において、標的ネットワークチップの対応するネットワークタイプはワイヤレスフィデリティ（ＷｉＦｉ）ネットワークであり、
Ｚｉｇｂｅｅ機器のＩＤが媒体アクセス制御ＭＡＣアドレスであり、
ＺｉｇｂｅｅゲートウェイのＩＤは、機器ＩＤである。
【００２１】
本発明に係る実施例の第４の態様によれば、データ通信装置を提供した。前記装置は、プロセッサーと、プロセッサーで実行可能な指令を記憶するためのメモリと、を含み、
プロセッサーは、
Ｚｉｇｂｅｅ機器のＩＤを有する制御指令を受信し、
標的ネットワークチップを用いて制御指令を受信すること、制御指令に含まれるＺｉｇｂｅｅ機器のＩＤを取得すること、及びＺｉｇｂｅｅチップを用いてＺｉｇｂｅｅ機器のＩＤに対応するＺｉｇｂｅｅ機器へ制御指令を転送することのために用いられるＺｉｇｂｅｅゲートウェイへ、制御指令を転送するように構成される。
標的ネットワークチップに対応するネットワークタイプはＺｉｇｂｅｅネットワークのネットワークタイプと異なる。
【００２２】
本発明の実施例の第５の態様によれば、Ｚｉｇｂｅｅゲートウェイを提供した。前記Ｚｉｇｂｅｅゲートウェイは、制御チップと、制御チップで実行可能な指令を記憶するためのメモリと、制御チップと接続する標的ネットワークチップ及びＺｉｇｂｅｅチップと、を含む。
制御チップは、
標的ネットワークチップを用いて、Ｚｉｇｂｅｅ機器のＩＤを有する制御指令を受信し、
制御指令に有するＺｉｇｂｅｅ機器のＩＤを取得し、
Ｚｉｇｂｅｅチップを用いて、ＩＤに対応すＺｉｇｂｅｅ機器へ制御指令を転送するように構成される。
標的ネットワークチップに対応するネットワークタイプはＺｉｇｂｅｅネットワークのネットワークタイプと異なる。
【発明の効果】
【００２３】
本発明に提供された技術案によれば、以下のような技術効果が奏される。
【００２４】
すなわち、サーバーがＺｉｇｂｅｅ機器のＩＤを有する制御指令を受信し、且つ、サーバーが制御指令をＺｉｇｂｅｅゲートウェイへ転送し、Ｚｉｇｂｅｅゲートウェイを介して制御指令をＺｉｇｂｅｅ機器へ送信することにより、携帯端末が制御指令をＺｉｇｂｅｅ機器へ送信することができない問題を解决した。且つ、サーバーによる中継を達成し、携帯端末がサーバーのみに通信すれば、Ｚｉｇｂｅｅゲートウェイ及びＺｉｇｂｅｅ機器に対するアドレッシングを、サーバーによって実現することができ、携帯端末が制御指令をＺｉｇｂｅｅ機器へ送信できる効果が奏される。
【００２５】
なお、前記一般的な記載及び後述の詳細な記載は、単なる例示的で解釈的な記載であり、本発明を限定するものではない。
【図面の簡単な説明】
【００２６】
ここの図面は、明細書に組み入れて本明細書の一部分を構成し、本発明に該当する実施例を例示するとともに、明細書とともに本発明の原理を解釈することに用いられる。
【図１】本発明の一例示的な実施例に係るデータ通信システムを示すブロック図である。
【図２】本発明の一例示的な実施例に係るデータ通信方法を示すフローチャートである。
【図３】本発明の他の例示的な実施例に係るデータ通信方法を示すフローチャートである。
【図４】本発明の他の例示的な実施例に係るデータ通信方法を示すフローチャートである。
【図５】本発明の一例示的な実施例に係るデータ通信装置を示すブロック図である。
【図６】本発明の他の例示的な実施例に係るデータ通信装置を示すブロック図である。
【図７】本発明の一例示的な実施例に係るデータ通信装置を示すブロック図である。
【図８】本発明の一例示的な実施例に係るＺｉｇｂｅｅゲートウェイを示すブロック図である。
【発明を実施するための形態】
【００２７】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施例に記載の実施形態は、本発明と一致する全ての実施形態を代表するものではない。即ち、それらは、特許請求の範囲に記載の本発明のある側面に一致する装置及び方法の例に過ぎない。
【００２８】
一例としてＺｉｇｂｅｅ機器がスマートランプに用いられた場合は、携帯端末は、制御指令をＺｉｇｂｅｅ機器へ送信する必要がある。当該制御指令は、スマートランプを点灯すること、又はスマートランプを消灯することであってもよい。しかしながら、Ｚｉｇｂｅｅ機器がＺｉｇｂｅｅゲートウェイで提供されるＺｉｇｂｅｅネットワークに位置するために、携帯端末は、Ｚｉｇｂｅｅ機器へ制御指令を送信する場合、Ｚｉｇｂｅｅゲートウェイ及びＺｉｇｂｅｅ機器に対するアドレッシングを解决する必要がある。
【００２９】
図１は、本発明の一例示的な実施例に係るデータ通信システムを示すブロック図である。当該データ通信システムは、サーバー１２０と、サーバーに接続するＺｉｇｂｅｅゲートウェイ１４０と、Ｚｉｇｂｅｅゲートウェイ１４０に接続する少なくとも１つのＺｉｇｂｅｅ機器１６０とを含む。
【００３０】
当該Ｚｉｇｂｅｅゲートウェイ１４０には、標的ネットワークチップ１４２及びＺｉｇｂｅｅチップ１４４が同時に設置される。
【００３１】
当該サーバー１２０は、Ｚｉｇｂｅｅ機器１６０のＩＤを有する制御指令を受信するように構成される。
【００３２】
また、当該サーバー１２０は、当該Ｚｉｇｂｅｅゲートウェイ１４０へ制御指令を転送するように構成される。
【００３３】
当該Ｚｉｇｂｅｅゲートウェイ１４０は、サーバー１２０が送信した制御指令を標的ネットワークチップ１４２を用いて受信し、制御指令に含まれるＺｉｇｂｅｅ機器１６０のＩＤを取得し、当該Ｚｉｇｂｅｅチップ１４４を用いて対応するＺｉｇｂｅｅ機器１６０へ制御指令を転送するように構成される。
【００３４】
当該Ｚｉｇｂｅｅ機器１６０は、当該Ｚｉｇｂｅｅ機器１６０が転送した制御指令を受信するように構成される。
【００３５】
当該標的ネットワークチップに対応するネットワークタイプはＺｉｇｂｅｅネットワークのネットワークタイプと異なる。
【００３６】
上記で述べたように、本発明の実施例で提供されたデータ通信システムでは、サーバーがＺｉｇｂｅｅ機器のＩＤを有する制御指令を受信し、且つ、サーバーがＺｉｇｂｅｅゲートウェイのＩＤに基づいて制御指令をＺｉｇｂｅｅゲートウェイへ転送し、Ｚｉｇｂｅｅゲートウェイを介して制御指令をＺｉｇｂｅｅ機器へ送信することにより、携帯端末が制御指令をＺｉｇｂｅｅ機器へ送信することができない問題を解决した。且つ、サーバーによる中継を達成し、携帯端末がサーバーのみに通信すれば、Ｚｉｇｂｅｅゲートウェイ及びＺｉｇｂｅｅ機器に対するアドレッシングを、サーバーによって実現することができ、携帯端末が制御指令をＺｉｇｂｅｅ機器へ送信できる効果が奏される。
【００３７】
図１に示す実施例に基づく選択的な実施例において、制御指令はＺｉｇｂｅｅゲートウェイ１４０のＩＤを有し、
サーバー１２０は、制御指令に含まれるＺｉｇｂｅｅゲートウェイ１４０のＩＤを取得し、Ｚｉｇｂｅｅゲートウェイ１４０のＩＤに基づいてＺｉｇｂｅｅゲートウェイ１４０へ制御指令を転送するように構成される。
【００３８】
図１に示す実施例に基づく選択的な実施例において、サーバー１２０は、前記Ｚｉｇｂｅｅ機器１６０のＩＤに基づいて、予め記憶した対応関係から前記Ｚｉｇｂｅｅゲートウェイ１４０のＩＤを検索し、前記Ｚｉｇｂｅｅゲートウェイ１４０のＩＤを前記制御指令に追加し、前記Ｚｉｇｂｅｅゲートウェイ１４０のＩＤに基づいて前記Ｚｉｇｂｅｅゲートウェイ１４０へ前記制御指令を送信するように構成される。
【００３９】
図１に示す実施例に基づく選択的な実施例において、Ｚｉｇｂｅｅ機器１６０は、更に、Ｚｉｇｂｅｅゲートウェイ１４０にアクセスする場合、Ｚｉｇｂｅｅゲートウェイ１４０のＩＤとＺｉｇｂｅｅ機器１６０のＩＤとの間の対応関係を、サーバー１２０へ報告するように構成され、
サーバー１２０は、対応関係を記憶するように構成される。
【００４０】
図１に示す実施例に基づく選択的な実施例において、標的ネットワークチップの対応するネットワークタイプは、ＷｉＦｉ（Ｗｉｒｅｌｅｓｓ−Ｆｉｄｅｌｉｔｙ、ワイヤレスフィデリティ）ネットワークであり、Ｚｉｇｂｅｅ機器のＩＤは、媒体アクセス制御ＭＡＣ（Ｍｅｄｉａ  Ａｃｃｅｓｓ  Ｃｏｎｔｒｏｌ、メディアアクセス制御）アドレスであり、ＺｉｇｂｅｅゲートウェイのＩＤは、ＤＩＤ（ｄｅｖｉｃｅ  ｉｄ、機器ＩＤ）である。
【００４１】
図２は、本発明の実施例に係るデータ通信方法を示すフローチャートである。この実施例では、当該データ通信方法が図１に示すサーバーに適用されることを例として説明する。前記の方法は、下記ステップ２０２、ステップ２０４を含む。
【００４２】
ステップ２０２において、Ｚｉｇｂｅｅ機器のＩＤを有する制御指令を受信する。
【００４３】
選択的に、当該制御指令は、携帯装置から送信した制御指令、例えばスマートランプを点灯する指令である。
【００４４】
選択的に、Ｚｉｇｂｅｅ機器のＩＤがＭＡＣアドレスである。
【００４５】
ステップ２０４において、標的ネットワークチップを用いて制御指令を受信すること、制御指令に含まれるＺｉｇｂｅｅ機器のＩＤを取得すること、及びＺｉｇｂｅｅチップを用いてＺｉｇｂｅｅ機器のＩＤに対応するＺｉｇｂｅｅ機器へ制御指令を転送することのために用いられるＺｉｇｂｅｅゲートウェイへ、制御指令を転送する。
【００４６】
標的ネットワークチップに対応するネットワークタイプはＺｉｇｂｅｅネットワークのネットワークタイプと異なる。
【００４７】
上記で述べたように、この実施例で提供されたデータ通信方法では、サーバーがＺｉｇｂｅｅ機器のＩＤを有する制御指令を受信し、且つ、サーバーが制御指令をＺｉｇｂｅｅゲートウェイへ転送し、Ｚｉｇｂｅｅゲートウェイを介して制御指令をＺｉｇｂｅｅ機器へ送信することにより、携帯端末が制御指令をＺｉｇｂｅｅ機器へ送信することができない問題を解决した。且つ、サーバーによる中継を達成し、携帯端末がサーバーのみに通信すれば、Ｚｉｇｂｅｅゲートウェイ及びＺｉｇｂｅｅ機器に対するアドレッシングを、サーバーによって実現することができ、携帯端末が制御指令をＺｉｇｂｅｅ機器へ送信できる効果が奏される。
【００４８】
図３は、本発明の実施例に係る他のデータ通信方法を示すフローチャートである。この実施例では、当該データ通信方法が図１に示すデータ通信システムに適用されることを例として説明する。前記の方法は、下記ステップ３０１〜ステップ３０６を含む。
【００４９】
ステップ３０１において、サーバーは、ＺｉｇｂｅｅゲートウェイのＩＤ及びＺｉｇｂｅｅ機器のＩＤを有する制御指令を受信する。
【００５０】
選択的に、当該制御指令は、携帯装置から送信した制御指令、例えばスマートランプを点灯する指令である。
【００５１】
選択的に、ＺｉｇｂｅｅゲートウェイのＩＤ及びＺｉｇｂｅｅ機器のＩＤがいずれもＭＡＣアドレスである。
【００５２】
ステップ３０２において、サーバーは、制御指令に含まれるＺｉｇｂｅｅゲートウェイのＩＤを取得する。
【００５３】
ステップ３０３において、サーバーは、ＺｉｇｂｅｅゲートウェイのＩＤに基づいてＺｉｇｂｅｅゲートウェイへ制御指令を転送する。
【００５４】
ステップ３０４において、標的ネットワークチップを用いて制御指令を受信する。
【００５５】
その中で、標的ネットワークチップに対応するネットワークタイプはＺｉｇｂｅｅネットワークのネットワークタイプと異なる。選択的に、標的ネットワークチップは、ＷｉＦｉチップである。
【００５６】
ステップ３０５において、Ｚｉｇｂｅｅゲートウェイは、制御指令に含まれるＺｉｇｂｅｅ機器のＩＤを取得する。
【００５７】
ステップ３０６において、Ｚｉｇｂｅｅゲートウェイは、Ｚｉｇｂｅｅチップを用いてＺｉｇｂｅｅ機器のＩＤに対応するＺｉｇｂｅｅ機器へ、制御指令を転送する。
【００５８】
Ｚｉｇｂｅｅ機器は、当該制御指令を受信し、且つ当該制御指令を実行する。
【００５９】
上記で述べたように、この実施例で提供されたデータ通信方法では、サーバーがＺｉｇｂｅｅゲートウェイのＩＤ及びＺｉｇｂｅｅ機器のＩＤを有する制御指令を受信し、且つ、サーバーがＺｉｇｂｅｅゲートウェイのＩＤに基づいて制御指令をＺｉｇｂｅｅゲートウェイへ転送し、Ｚｉｇｂｅｅゲートウェイを介して制御指令をＺｉｇｂｅｅ機器へ送信することにより、携帯端末が制御指令をＺｉｇｂｅｅ機器へ送信することができない問題を解决した。且つ、サーバーによる中継を達成し、携帯端末がサーバーのみに通信すれば、Ｚｉｇｂｅｅゲートウェイ及びＺｉｇｂｅｅ機器に対するアドレッシングを、サーバーによって実現することができ、携帯端末が制御指令をＺｉｇｂｅｅ機器へ送信できる効果が奏される。
【００６０】
図３に示す実施例において、制御指令がＺｉｇｂｅｅゲートウェイのＩＤ及びＺｉｇｂｅｅ機器のＩＤを同時に有する必要があるため、携帯端末が２つのＩＤを同時に取得した場合だけ、制御指令を生成し送信することができる。携帯端末が制御指令を生成し送信する難度を簡略化するための実施例を図４に示す。
【００６１】
図４は、本発明の実施例に係る他のデータ通信方法を示すフローチャートである。この実施例では、当該データ通信方法が図１に示すデータ通信システムに適用されることを例として説明する。前記の方法は、ステップ４０１〜ステップ４１０を含む。
【００６２】
ステップ４０１において、Ｚｉｇｂｅｅ機器がＺｉｇｂｅｅゲートウェイにアクセスする。
【００６３】
Ｚｉｇｂｅｅ機器は、Ｚｉｇｂｅｅゲートウェイにアクセスすることができ、当該Ｚｉｇｂｅｅゲートウェイは、標的ネットワークチップ及びＺｉｇｂｅｅチップが同時に設定されるゲートウェイである。
【００６４】
選択的に、標的ネットワークチップは、ＷｉＦｉチップである。即ち、Ｚｉｇｂｅｅゲートウェイは、ＷｉＦｉネットワーク及びＺｉｇｂｅｅネットワークにおいて通信する機能を同時に具備する。
【００６５】
ステップ４０２において、Ｚｉｇｂｅｅ機器は、ＺｉｇｂｅｅゲートウェイのＩＤとＺｉｇｂｅｅ機器のＩＤとの間の対応関係を、サーバーへ送信する。
【００６６】
Ｚｉｇｂｅｅ機器には、サーバーのＩＰアドレスであってもよいサーバーのＩＤを予め記憶する必要がある。
【００６７】
その後Ｚｉｇｂｅｅ機器は、Ｚｉｇｂｅｅゲートウェイにアクセスした後、サーバーへ対応関係を報告する。当該対応関係は、ＺｉｇｂｅｅゲートウェイのＩＤとＺｉｇｂｅｅ機器のＩＤとの間の対応関係である。
【００６８】
選択的に、ＺｉｇｂｅｅゲートウェイのＩＤはＤＩＤ（機器ＩＤ）であり、Ｚｉｇｂｅｅ機器のＩＤはＭＡＣアドレスである。ＤＩＤは、ＷｉＦｉネットワークから機器をアドレッシングするために用いられる。ＭＡＣアドレスは、Ｚｉｇｂｅｅネットワークから機器をアドレッシングするために用いられる。
【００６９】
ステップ４０３において、サーバーは、当該対応関係を記憶する。
【００７０】
サーバーは、各Ｚｉｇｂｅｅ機器が報告した対応関係を記憶する。当該対応関係を表１に模式的に示す。
【００７１】
【表１】
2017535084.tif 000003
【００７２】
ステップ４０４において、サーバーは、Ｚｉｇｂｅｅ機器のＩＤを有する制御指令を受信する。
【００７３】
この実施例において、制御指令には、Ｚｉｇｂｅｅ機器のＩＤのみを有すればよい。
【００７４】
ステップ４０５において、サーバーは、Ｚｉｇｂｅｅ機器のＩＤに基づいて、予め記憶した対応関係からＺｉｇｂｅｅゲートウェイのＩＤを検索する。
【００７５】
ステップ４０６において、サーバーは、ＺｉｇｂｅｅゲートウェイのＩＤを制御指令に追加する。
【００７６】
例えば、制御指令は、「Ｚｉｇｂｅｅゲートウェイ１のＤＩＤ１、Ｚｉｇｂｅｅ機器１のＭＡＣアドレス１、オープン指令」である。
【００７７】
ステップ４０７において、サーバーは、ＺｉｇｂｅｅゲートウェイのＩＤに基づいて制御指令をＺｉｇｂｅｅゲートウェイまで送信する。
【００７８】
ＤＩＤは、ＷｉＦｉネットワークから機器をアドレッシングするために用いられる。サーバーは、ＺｉｇｂｅｅゲートウェイのＤＩＤに基づいてＺｉｇｂｅｅゲートウェイへ制御指令を送信する。
【００７９】
ステップ４０８において、標的ネットワークチップを用いてＺｉｇｂｅｅゲートウェイが制御指令を受信する。
【００８０】
その中で、標的ネットワークチップに対応するネットワークタイプはＺｉｇｂｅｅネットワークのネットワークタイプと異なる。選択的に、標的ネットワークチップは、ＷｉＦｉチップである。
【００８１】
ステップ４０９において、Ｚｉｇｂｅｅゲートウェイは、制御指令に含まれるＺｉｇｂｅｅ機器のＩＤを取得する。
【００８２】
ステップ４１０において、Ｚｉｇｂｅｅゲートウェイは、Ｚｉｇｂｅｅチップを用いてＺｉｇｂｅｅ機器のＩＤに対応するＺｉｇｂｅｅ機器へ、制御指令を転送する。
【００８３】
Ｚｉｇｂｅｅ機器は、当該制御指令を受信し、且つ当該制御指令を実行する。
【００８４】
上記で述べたように、この実施例で提供されたデータ通信方法では、サーバーがＺｉｇｂｅｅ機器のＩＤを有する制御指令を受信し、且つ、サーバーがＺｉｇｂｅｅ機器のＩＤに基づいて、予め記憶した対応関係にＺｉｇｂｅｅゲートウェイのＩＤを検索し、ＺｉｇｂｅｅゲートウェイのＩＤに基づいて制御指令をＺｉｇｂｅｅゲートウェイへ転送し、Ｚｉｇｂｅｅゲートウェイを介して制御指令をＺｉｇｂｅｅ機器へ送信することにより、携帯端末が制御指令をＺｉｇｂｅｅ機器へ送信することができない問題を解决した。且つ、サーバーによる中継を達成し、携帯端末がサーバーのみに通信すれば、Ｚｉｇｂｅｅゲートウェイ及びＺｉｇｂｅｅ機器に対するアドレッシングを、サーバーによって実現することができ、携帯端末が制御指令をＺｉｇｂｅｅ機器へ送信できる効果が奏される。
【００８５】
本実施例で提供されたデータ通信方法は、さらに、Ｚｉｇｂｅｅ機器のＩＤとＺｉｇｂｅｅゲートウェイのＩＤとの間の対応関係をサーバーに予め記憶したため、制御指令を生成する際に、Ｚｉｇｂｅｅ機器のＩＤのみを有する必要があればよく、制御指令の生成難度を低減した。
【００８６】
１つの模式的な例において、ユーザは、Ｚｉｇｂｅｅ技術を用いた１つのスマートランプを購入し、当該スマートランプのメーカーは、インターネット上に、バックグラウンドサービスを提供するためのサーバーを配置する。ユーザは、自分の携帯電話に、当該メーカーにより提供されるアプリプログラムをインストールする。例えば、当該スマートランプの筐体に二次元コードが設けられている。ユーザは、当該アプリプログラムを用いて当該二次元コードを走査し、当該スマートランプのＭＡＣアドレスを取得する。これにより、自宅におけるスマート家具機器として当該スマートランプをバインディングすることができる。当該スマートランプは、Ｚｉｇｂｅｅゲートウェイにアクセスする際に、自身のＭＡＣアドレスとＺｉｇｂｅｅゲートウェイのＤＩＤとの間の対応関係をサーバーへ送信し、サーバーは、当該対応関係を保存する。
【００８７】
ユーザは、当該スマートランプを点灯しようとする場合、アプリプログラムに対して「点灯」ボタンをクリックする。その後、当該アプリプログラムは、スマートランプのＭＡＣアドレスを有する１つの「点灯」の制御指令を生成し、且つ、当該アプリプログラムは、サーバーへ当該「点灯」の制御指令を送信する。そして、サーバーは、スマートランプのＭＡＣアドレスに基づいてＺｉｇｂｅｅゲートウェイのＤＩＤを検索し、且つＺｉｇｂｅｅゲートウェイのＤＩＤを「点灯」の制御指令に追加する。その後、サーバーは、Ｚｉｇｂｅｅゲートウェイへ「点灯」の指令を送信する。Ｚｉｇｂｅｅゲートウェイは、当該「点灯」の制御指令を受信した後、スマートランプのＭＡＣアドレスに基づいて「点灯」の制御指令をスマートランプへ送信する。スマートランプは、当該「点灯」の制御指令に基づいて点灯する。
【００８８】
以下は、本発明に係る装置の実施例であり、本発明に係る方法の実施例を実行するために用いられてもよい。本発明に係る装置の実施例に記載されない詳細について、本発明に係る方法の実施例を参照することができる。
【００８９】
図５は、一例示的な実施例に係るデータ通信装置を示すブロック図である。図５に示すように、当該データ通信装置は、ソフトウェア、ハードウェア又は両方の組み合わせにより、図１に示すサーバーの全部又は一部になるように実現することができる。当該装置は、下記第１の受信モジュール５２０と、送信モジュール５４０とを含むが、これらに限定されるものではない。
【００９０】
第１の受信モジュール５２０は、Ｚｉｇｂｅｅ機器のＩＤを有する制御指令を受信するように構成され、
送信モジュール５４０は、標的ネットワークチップを用いて制御指令を受信すること、制御指令に含まれるＺｉｇｂｅｅ機器のＩＤを取得すること、及びＺｉｇｂｅｅチップを用いてＺｉｇｂｅｅ機器のＩＤに対応するＺｉｇｂｅｅ機器へ制御指令を転送することのために用いられるＺｉｇｂｅｅゲートウェイへ、制御指令を転送するように構成され、
その中で、標的ネットワークチップに対応するネットワークタイプはＺｉｇｂｅｅネットワークのネットワークタイプと異なる。
【００９１】
上記で述べたように、この実施例で提供されたデータ通信装置では、Ｚｉｇｂｅｅ機器のＩＤを有する制御指令を受信し、且つ、制御指令をＺｉｇｂｅｅゲートウェイへ転送し、Ｚｉｇｂｅｅゲートウェイを介して制御指令をＺｉｇｂｅｅ機器へ送信することにより、携帯端末が制御指令をＺｉｇｂｅｅ機器へ送信することができない問題を解决した。且つ、データ通信装置による中継を達成し、携帯端末がデータ通信装置のみに通信すれば、Ｚｉｇｂｅｅゲートウェイ及びＺｉｇｂｅｅ機器に対するアドレッシングを、データ通信装置によって実現することができ、携帯端末が制御指令をＺｉｇｂｅｅ機器へ送信できる効果が奏される。
【００９２】
図６は、一例示的な実施例に係るデータ通信装置を示すブロック図である。図６に示すように、当該データ通信装置は、ソフトウェア、ハードウェア又は両方の組み合わせにより、図１に示すサーバーの全部又は一部になるように実現することができる。当該装置は、下記第１の受信モジュール５２０と、送信モジュール５４０とを含むが、これらに限定されるものではない。
【００９３】
第１の受信モジュール５２０は、Ｚｉｇｂｅｅ機器のＩＤを有する制御指令を受信するように構成され、
送信モジュール５４０は、標的ネットワークチップを用いて制御指令を受信すること、制御指令に含まれるＺｉｇｂｅｅ機器のＩＤを取得すること、Ｚｉｇｂｅｅチップを用いてＺｉｇｂｅｅ機器のＩＤに対応するＺｉｇｂｅｅ機器へ制御指令を転送することのために用いられるＺｉｇｂｅｅゲートウェイへ、制御指令を転送するように構成され、
その中で、標的ネットワークチップに対応するネットワークタイプはＺｉｇｂｅｅネットワークのネットワークタイプと異なる。
【００９４】
第１の可能な実施形態では、制御指令はＺｉｇｂｅｅゲートウェイのＩＤを有し、
送信モジュール５４０は、制御指令に含まれるＺｉｇｂｅｅゲートウェイのＩＤを取得し、ＺｉｇｂｅｅゲートウェイのＩＤに基づいてＺｉｇｂｅｅゲートウェイへ制御指令を転送するように構成される。
【００９５】
第２の可能な実施形態では、当該装置は、
Ｚｉｇｂｅｅ機器のＩＤに基づいて、予め記憶した対応関係からＺｉｇｂｅｅゲートウェイのＩＤを検索するように構成される検索モジュール５３０と、
ＺｉｇｂｅｅゲートウェイのＩＤを制御指令に追加し、ＺｉｇｂｅｅゲートウェイのＩＤに基づいてＺｉｇｂｅｅゲートウェイへ制御指令を送信するように構成される送信モジュール５４０とをさらに含む。
【００９６】
第２の可能な実施形態では、当該装置は、
Ｚｉｇｂｅｅ機器から送信した、Ｚｉｇｂｅｅ機器のＺｉｇｂｅｅゲートウェイにアクセスする際に報告したＺｉｇｂｅｅゲートウェイのＩＤとＺｉｇｂｅｅ機器のＩＤとの間の対応関係、を受信するように構成される第２の受信モジュール５１２と、
対応関係を記憶するように構成される記憶モジュール５１４とをさらに含む。
【００９７】
選択的に、標的ネットワークチップの対応するネットワークタイプはＷｉＦｉネットワークであり、Ｚｉｇｂｅｅ機器のＩＤはＭＡＣアドレスであり、ＺｉｇｂｅｅゲートウェイのＩＤはＤＩＤである。
【００９８】
上記の実施例に係る装置について、各モジュールが操作を実行する具体的な形態は、すでに当該方法に係る実施例において詳細に記載され、ここで、詳細に説明しない。
【００９９】
本発明の一例示的な実施例では、本発明に係るデータ通信方法を実現することができるデータ通信装置を提供した。
【０１００】
当該データ通信装置は、
Ｚｉｇｂｅｅ機器のＩＤを有する制御指令を受信し、
標的ネットワークチップを用いて制御指令を受信すること、制御指令に含まれるＺｉｇｂｅｅ機器のＩＤを取得すること、及びＺｉｇｂｅｅチップを用いてＺｉｇｂｅｅ機器のＩＤに対応するＺｉｇｂｅｅ機器へ制御指令を転送することのために用いられるＺｉｇｂｅｅゲートウェイへ、制御指令を転送するように構成されるプロセッサーと、
プロセッサーで実行可能な指令を記憶するためのメモリと、を含み、
その中で、標的ネットワークチップに対応するネットワークタイプはＺｉｇｂｅｅネットワークのネットワークタイプと異なる。
【０１０１】
図７は、他の例示的な実施例に係るデータ通信装置を示すブロック図である。例えば、装置７００は、ネットワーク側の機器として提供されることができる。図７に示すように、装置７００は、１つ以上のプロセッサーをさらに備えることができる処理部品７０２を含み、及び、処理部品７０２で実行可能な指令、例えばアプリプログラムを記憶するためのメモリ７０４の代表するメモリ資源を含む。メモリ７０４に記憶されるアプリプログラムは、それぞれの指令セットに対応する一つ以上のモジュールを含んでもよい。なお、処理部品７０２は、指令を実行して上記データ通信方法を実行するように構成される。
【０１０２】
装置７００は、さらに、装置７００の電源管理を実行するように構成される一つの電源部品７０６、装置７００をネットワークに接続するように構成される一つの有線又は無線ネットワークインターフェイス７０８、及び一つの入出力（Ｉ／Ｏ）インターフェイス７１０を含んでもよい。装置７００は、メモリ７０４に記憶されたオペレーティング系統（ＯＳ）、例えば、Ｗｉｎｄｏｗｓ  Ｓｅｒｖｅｒ（登録商標）、Ｍａｃ  ＯＳ  Ｘ（登録商標）、Ｕｎｉｘ（登録商標）、Ｌｉｎｕｘ（登録商標）、ＦｒｅｅＢＳＤ（登録商標）、または類似したものに基づいて操作する。
【０１０３】
図８は、他の実施例で提供されたＺｉｇｂｅｅゲートウェイを示すブロック図である。当該ゲートウェイは、制御チップ８２０と、制御チップ８２０で実行可能な指令を記憶するためのメモリ８４０と、制御チップ８２０に接続する標的ネットワークチップ８６０及びＺｉｇｂｅｅチップ８８０と、を含み、
その中で、制御チップ８２０は、
標的ネットワークチップ８６０を用いて、少なくともＺｉｇｂｅｅゲートウェイのＩＤ及びＺｉｇｂｅｅ機器のＩＤを有する制御指令を受信し、
制御指令に含まれるＺｉｇｂｅｅ機器のＩＤを取得し、
Ｚｉｇｂｅｅチップを用いて、ＩＤに対応すＺｉｇｂｅｅ機器へ制御指令を転送するように構成される。
【０１０４】
その中で、標的ネットワークチップに対応するネットワークタイプはＺｉｇｂｅｅネットワークのネットワークタイプと異なる。
【０１０５】
当業者は、明細書に対する理解、及び明細書に記載された発明に対する実施を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知知識、または通常の技術手段を含む。明細書と実施例は、例示的なものにすぎなく、本発明の本当の範囲と主旨は、以下の特許請求の範囲によって示される。
【０１０６】
本発明は、前記で記述され、図面で図示した特定の構成に限定されず、その範囲を離脱しない状況で、様々な修正や変更を実施してもよい。本発明の範囲は、添付される特許請求の範囲により限定される。
【０１０７】
本願は、出願番号が２０１５１０６０９６９８．１であって、出願日が２０１５年９月２２日ある中国特許出願に基づき優先権を主張するものであり、ここで参照するため当該中国特許出願の全ての内容を本願に援用する。
【図１】
2017535084.tif 000004
【図２】
2017535084.tif 000005
【図３】
2017535084.tif 000006
【図４】
2017535084.tif 000007
【図５】
2017535084.tif 000008
【図６】
2017535084.tif 000009
【図７】
2017535084.tif 000010
【図８】
2017535084.tif 000011
【手続補正書】
【提出日】平成28年3月18日(2016.3.18)
【手続補正１】
【補正対象書類名】特許請求の範囲
【補正対象項目名】全文
【補正方法】変更
【補正の内容】
【特許請求の範囲】
【請求項１】
データ通信システムであって、サーバーと、前記サーバーに接続するＺｉｇｂｅｅゲートウェイと、前記Ｚｉｇｂｅｅゲートウェイに接続する少なくとも１つのＺｉｇｂｅｅ機器を含み、前記Ｚｉｇｂｅｅゲートウェイには、標的ネットワークチップ及びＺｉｇｂｅｅチップが同時に設置され、
前記サーバーは、前記Ｚｉｇｂｅｅ機器のＩＤを有する制御指令を受信するように構成され、
前記サーバーは、前記Ｚｉｇｂｅｅゲートウェイへ前記制御指令を転送するように構成され、
前記Ｚｉｇｂｅｅゲートウェイは、前記サーバーが送信した前記制御指令を前記標的ネットワークチップを用いて受信し、前記制御指令に含まれる前記Ｚｉｇｂｅｅ機器のＩＤを取得し、前記Ｚｉｇｂｅｅチップを用いて、対応する前記Ｚｉｇｂｅｅ機器へ前記制御指令を転送するように構成され、
前記Ｚｉｇｂｅｅ機器は、前記Ｚｉｇｂｅｅ機器によって転送された前記制御指令を受信するように構成され、
前記標的ネットワークチップに対応するネットワークタイプはＺｉｇｂｅｅネットワークのネットワークタイプと異なることを特徴とする
データ通信システム。
【請求項２】
前記制御指令は、さらに、前記ＺｉｇｂｅｅゲートウェイのＩＤを有し、
前記サーバーは、前記制御指令に含まれる前記ＺｉｇｂｅｅゲートウェイのＩＤを取得し、前記ＺｉｇｂｅｅゲートウェイのＩＤに基づいて前記Ｚｉｇｂｅｅゲートウェイへ前記制御指令を転送するように構成されることを特徴とする
請求項１に記載のシステム。
【請求項３】
前記サーバーは、前記Ｚｉｇｂｅｅ機器のＩＤに基づいて、予め記憶した対応関係から前記ＺｉｇｂｅｅゲートウェイのＩＤを検索し、前記ＺｉｇｂｅｅゲートウェイのＩＤを前記制御指令に追加し、前記ＺｉｇｂｅｅゲートウェイのＩＤに基づいて前記Ｚｉｇｂｅｅゲートウェイへ前記制御指令を送信するように構成されることを特徴とする
請求項１に記載のシステム。
【請求項４】
前記Ｚｉｇｂｅｅ機器は、さらに、前記Ｚｉｇｂｅｅゲートウェイにアクセスする場合、前記ＺｉｇｂｅｅゲートウェイのＩＤと前記Ｚｉｇｂｅｅ機器のＩＤとの間の前記対応関係を、前記サーバーへ報告するように構成され、
前記サーバーは、前記対応関係を記憶するように構成されることを特徴とする
請求項３に記載のシステム。
【請求項５】
前記標的ネットワークチップに対応するネットワークタイプはワイヤレスフィデリティ（ＷｉＦｉ）ネットワークであり、
前記Ｚｉｇｂｅｅ機器のＩＤが媒体アクセス制御ＭＡＣアドレスであり、
前記ＺｉｇｂｅｅゲートウェイのＩＤは、機器ＩＤであることを特徴とする
請求項２〜４のいずれか１項に記載のシステム。
【請求項６】
データ通信方法であって、
Ｚｉｇｂｅｅ機器のＩＤを有する制御指令を受信し、
標的ネットワークチップを用いて前記制御指令を受信すること、前記制御指令に含まれる前記Ｚｉｇｂｅｅ機器のＩＤを取得すること、及び、Ｚｉｇｂｅｅチップを用いて前記Ｚｉｇｂｅｅ機器のＩＤに対応する前記Ｚｉｇｂｅｅ機器へ前記制御指令を転送することのために用いられるＺｉｇｂｅｅゲートウェイへ、前記制御指令を転送すること、を含み、
前記標的ネットワークチップに対応するネットワークタイプはＺｉｇｂｅｅネットワークのネットワークタイプと異なることを特徴とする
データ通信方法。
【請求項７】
前記制御指令がＺｉｇｂｅｅ機器のＩＤを有し、
前記Ｚｉｇｂｅｅゲートウェイへ前記制御指令を転送することは、
前記制御指令に含まれる前記ＺｉｇｂｅｅゲートウェイのＩＤを取得し、
前記ＺｉｇｂｅｅゲートウェイのＩＤに基づいて、前記Ｚｉｇｂｅｅゲートウェイへ前記制御指令を転送すること、を含むことを特徴とする
請求項６に記載の方法。
【請求項８】
前記Ｚｉｇｂｅｅゲートウェイへ前記制御指令を転送することは、
前記Ｚｉｇｂｅｅ機器のＩＤに基づいて、予め記憶した対応関係から前記ＺｉｇｂｅｅゲートウェイのＩＤを検索し、
前記ＺｉｇｂｅｅゲートウェイのＩＤを前記制御指令に追加し、
前記ＺｉｇｂｅｅゲートウェイのＩＤに基づいて、前記Ｚｉｇｂｅｅゲートウェイへ前記制御指令を送信すること、を含むことを特徴とする
請求項６に記載の方法。
【請求項９】
前記Ｚｉｇｂｅｅ機器から送信した、前記Ｚｉｇｂｅｅ機器の前記Ｚｉｇｂｅｅゲートウェイにアクセスする際に報告した前記ＺｉｇｂｅｅゲートウェイのＩＤと前記Ｚｉｇｂｅｅ機器のＩＤとの間の前記対応関係、を受信し、
前記対応関係を記憶することを、さらに含むことを特徴とする
請求項８に記載の方法。
【請求項１０】
前記標的ネットワークチップに対応するネットワークタイプは、ワイヤレスフィデリティ（ＷｉＦｉ）ネットワークであり、
前記Ｚｉｇｂｅｅ機器のＩＤが媒体アクセス制御ＭＡＣアドレスであり、
前記ＺｉｇｂｅｅゲートウェイのＩＤは、機器ＩＤであることを特徴とする
請求項６〜９のいずれか１項に記載の方法。
【請求項１１】
データ転送装置であって、
Ｚｉｇｂｅｅ機器のＩＤを有する制御指令を受信するように構成される第１の受信モジュールと、
標的ネットワークチップを用いて前記制御指令を受信すること、前記制御指令に含まれる前記Ｚｉｇｂｅｅ機器のＩＤを取得すること、及びＺｉｇｂｅｅチップを用いて前記Ｚｉｇｂｅｅ機器のＩＤに対応する前記Ｚｉｇｂｅｅ機器へ前記制御指令を転送することのために用いられる、Ｚｉｇｂｅｅゲートウェイへ、前記制御指令を転送するように構成される送信モジュールと、を含み、
前記標的ネットワークチップに対応するネットワークタイプはＺｉｇｂｅｅネットワークのネットワークタイプと異なることを特徴とする
データ転送装置。
【請求項１２】
前記制御指令は、さらに、前記ＺｉｇｂｅｅゲートウェイのＩＤを有し、
前記送信モジュールは、前記制御指令に含まれる前記ＺｉｇｂｅｅゲートウェイのＩＤを取得し、前記ＺｉｇｂｅｅゲートウェイのＩＤに基づいて前記Ｚｉｇｂｅｅゲートウェイへ前記制御指令を転送するように構成されることを特徴とする
請求項１１に記載の装置。
【請求項１３】
前記Ｚｉｇｂｅｅ機器のＩＤに基づいて、予め記憶した対応関係から前記ＺｉｇｂｅｅゲートウェイのＩＤを検索するように構成される検索モジュールをさらに含み、
前記送信モジュールは、前記ＺｉｇｂｅｅゲートウェイのＩＤを前記制御指令に追加し、前記ＺｉｇｂｅｅゲートウェイのＩＤに基づいて前記Ｚｉｇｂｅｅゲートウェイへ前記制御指令を送信するように構成されることを特徴とする
請求項１１に記載の装置。
【請求項１４】
前記Ｚｉｇｂｅｅ機器から送信した、前記Ｚｉｇｂｅｅ機器の前記Ｚｉｇｂｅｅゲートウェイにアクセスする際に報告した前記ＺｉｇｂｅｅゲートウェイのＩＤと前記Ｚｉｇｂｅｅ機器のＩＤとの間の前記対応関係、を受信するように構成される第２の受信モジュールと、
前記対応関係を記憶するように構成される記憶モジュールと、をさらに含むことを特徴とする
請求項１３に記載の装置。
【請求項１５】
前記標的ネットワークチップに対応するネットワークタイプはワイヤレスフィデリティ（ＷｉＦｉ）ネットワークであり、
前記Ｚｉｇｂｅｅ機器のＩＤが媒体アクセス制御ＭＡＣアドレスであり、
前記ＺｉｇｂｅｅゲートウェイのＩＤは、機器ＩＤであることを特徴とする
請求項１１〜１４のいずれか１項に記載の装置。
【請求項１６】
プロセッサーと
前記プロセッサーで実行可能な指令を記憶するためのメモリと、を含み、
前記プロセッサーは、
Ｚｉｇｂｅｅ機器のＩＤを有する制御指令を受信し、
標的ネットワークチップを用いて前記制御指令を受信すること、前記制御指令に含まれる前記Ｚｉｇｂｅｅ機器のＩＤを取得すること、及びＺｉｇｂｅｅチップを用いて前記Ｚｉｇｂｅｅ機器のＩＤに対応する前記Ｚｉｇｂｅｅ機器へ前記制御指令を転送することのために用いられるＺｉｇｂｅｅゲートウェイへ、前記制御指令を転送するように構成され、
前記標的ネットワークチップに対応するネットワークタイプはＺｉｇｂｅｅネットワークのネットワークタイプと異なることを特徴とする
データ通信装置。
【請求項１７】
制御チップと、
前記制御チップで実行可能な指令を記憶するためのメモリと、
前記制御チップと接続する標的ネットワークチップ及びＺｉｇｂｅｅチップと、を含むＺｉｇｂｅｅゲートウェイであって、
前記制御チップは、
前記標的ネットワークチップを用いて、Ｚｉｇｂｅｅ機器のＩＤを有する制御指令を受信し、
前記制御指令に含まれる前記Ｚｉｇｂｅｅ機器のＩＤを取得し、
前記Ｚｉｇｂｅｅチップを用いて、前記ＩＤに対応する前記Ｚｉｇｂｅｅ機器へ前記制御指令を転送するように構成され、
前記標的ネットワークチップに対応するネットワークタイプはＺｉｇｂｅｅネットワークのネットワークタイプと異なることを特徴とする
Ｚｉｇｂｅｅゲートウェイ。
【請求項１８】
プロセッサに実行されることにより、請求項６ないし請求項１０のいずれか一項に記載のデータ通信方法を実現することを特徴とするプログラム。
【請求項１９】
請求項１８に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本発明は、スマートハウス分野に属し、特にデータ通信システム、方法、装置、プログラム、及び記録媒体に関する。
【背景技術】
【０００２】
Ｚｉｇｂｅｅ（登録商標。以下、同様。）技術は、近距離で双方向の無線通信に適用される技術であって、低消費電力、低速度、低コストという特徴を有する。低消費電力が一層厳しく要求される場合、Ｚｉｇｂｅｅ技術が広く用いられている。
【０００３】
Ｚｉｇｂｅｅ技術を用いる機器は、Ｚｉｇｂｅｅ機器と呼ばれ、Ｚｉｇｂｅｅ機器は、煙霧センサー、スマートランプ等であってもよい。一般的には、１つのＺｉｇｂｅｅネットワークにおいて複数のＺｉｇｂｅｅ機器及び１つのＺｉｇｂｅｅゲートウェイが含まれる。その中で、Ｚｉｇｂｅｅゲートウェイは、各Ｚｉｇｂｅｅ機器のデータ通信を実現するために用いられ、且つインターネットにおけるサーバーまで各Ｚｉｇｂｅｅ機器のデータを送信し、例えば、煙霧センサーで収集された煙霧データを、インターネットにおけるサーバーまで送信する。
【発明の概要】
【発明が解決しようとする課題】
【０００４】
携帯端末がＺｉｇｂｅｅ機器へ制御指令を送信することができないという問題を解決するために、本発明は、データ通信システム、方法及び装置を提供する。
【課題を解決するための手段】
【０００５】
本発明の技術案は、次の通りである。
【０００６】
本発明に係る実施例の第１態様によれば、データ通信システムを提供した。前記システムは、サーバーと、サーバーに接続するＺｉｇｂｅｅゲートウェイと、Ｚｉｇｂｅｅゲートウェイに接続する少なくとも１つのＺｉｇｂｅｅ機器を含み、Ｚｉｇｂｅｅゲートウェイには、標的ネットワークチップ及びＺｉｇｂｅｅチップが同時に設置され、
サーバーは、Ｚｉｇｂｅｅ機器のＩＤ（Identification）を有する制御指令を受信するように構成され、
サーバーは、Ｚｉｇｂｅｅゲートウェイへ制御指令を転送するように構成され、
Ｚｉｇｂｅｅゲートウェイは、サーバーが送信した制御指令を標的ネットワークチップを用いて受信し、制御指令に含まれるＺｉｇｂｅｅ機器のＩＤを取得し、Ｚｉｇｂｅｅチップを用いて、対応するＺｉｇｂｅｅ機器へ制御指令を転送するように構成され、
Ｚｉｇｂｅｅ機器は、Ｚｉｇｂｅｅ機器によって転送された制御指令を受信するように構成され、
標的ネットワークチップに対応するネットワークタイプはＺｉｇｂｅｅネットワークのネットワークタイプと異なる。
【０００７】
選択的な実施例において、制御指令はＺｉｇｂｅｅゲートウェイのＩＤを有し、
サーバーは、制御指令に含まれるＺｉｇｂｅｅゲートウェイのＩＤを取得し、ＺｉｇｂｅｅゲートウェイのＩＤに基づいてＺｉｇｂｅｅゲートウェイへ制御指令を転送するように構成される。
【０００８】
選択的な実施例において、サーバーは、Ｚｉｇｂｅｅ機器のＩＤに基づいて、予め記憶した対応関係からＺｉｇｂｅｅゲートウェイのＩＤを検索し、ＺｉｇｂｅｅゲートウェイのＩＤを制御指令に追加し、ＺｉｇｂｅｅゲートウェイのＩＤに基づいてＺｉｇｂｅｅゲートウェイへ制御指令を送信するように構成される。
【０００９】
選択的な実施例において、Ｚｉｇｂｅｅ機器は、さらに、Ｚｉｇｂｅｅゲートウェイにアクセスする場合、ＺｉｇｂｅｅゲートウェイのＩＤとＺｉｇｂｅｅ機器のＩＤとの間の対応関係を、サーバーへ報告するように構成され、
サーバーは、対応関係を記憶するように構成される。
【００１０】
選択的な実施例において、標的ネットワークチップに対応するネットワークタイプはワイヤレスフィデリティ（ＷｉＦｉ）ネットワークであり、
Ｚｉｇｂｅｅ機器のＩＤが媒体アクセス制御ＭＡＣアドレスであり、
ＺｉｇｂｅｅゲートウェイのＩＤは、機器ＩＤである。
【００１１】
本発明に係る実施例の第２態様によれば、データ通信方法を提供した。前記方法は、
Ｚｉｇｂｅｅ機器のＩＤを有する制御指令を受信し、
標的ネットワークチップを用いて制御指令を受信すること、制御指令に含まれるＺｉｇｂｅｅ機器のＩＤを取得すること、Ｚｉｇｂｅｅチップを用いてＺｉｇｂｅｅ機器のＩＤに対応するＺｉｇｂｅｅ機器へ制御指令を転送することのために用いられるＺｉｇｂｅｅゲートウェイへ、制御指令を転送すること、を含み、
標的ネットワークチップに対応するネットワークタイプはＺｉｇｂｅｅネットワークのネットワークタイプと異なる。
【００１２】
選択的な実施例において、制御指令は、Ｚｉｇｂｅｅ機器のＩＤを有し、
Ｚｉｇｂｅｅゲートウェイへ制御指令を転送することは、
制御指令に含まれるＺｉｇｂｅｅゲートウェイのＩＤを取得し、
ＺｉｇｂｅｅゲートウェイのＩＤに基づいて、Ｚｉｇｂｅｅゲートウェイへ制御指令を転送すること、を含む。
【００１３】
選択的な実施例において、Ｚｉｇｂｅｅゲートウェイへ制御指令を転送することは、
Ｚｉｇｂｅｅ機器のＩＤに基づいて、予め記憶した対応関係からＺｉｇｂｅｅゲートウェイのＩＤを検索し、
ＺｉｇｂｅｅゲートウェイのＩＤを制御指令に追加し、
ＺｉｇｂｅｅゲートウェイのＩＤに基づいて制御指令をＺｉｇｂｅｅゲートウェイに送信すること、を含む。
【００１４】
選択的な実施例において、当該方法は、
Ｚｉｇｂｅｅ機器から送信した、前記Ｚｉｇｂｅｅ機器の前記Ｚｉｇｂｅｅゲートウェイにアクセスする際に報告した前記ＺｉｇｂｅｅゲートウェイのＩＤと前記Ｚｉｇｂｅｅ機器のＩＤとの間の前記対応関係、を受信し、
対応関係を記憶することを、さらに含むことを特徴とする。
【００１５】
選択的な実施例において、標的ネットワークチップに対応するネットワークタイプはワイヤレスフィデリティ（ＷｉＦｉ）ネットワークであり、
Ｚｉｇｂｅｅ機器のＩＤが媒体アクセス制御ＭＡＣアドレスであり、
ＺｉｇｂｅｅゲートウェイのＩＤは、機器ＩＤである。
【００１６】
本発明に係る実施例の第３の態様によれば、データ転送装置を提供した。前記装置は、
Ｚｉｇｂｅｅ機器のＩＤを有する制御指令を受信するように構成される第１の受信モジュールと、
標的ネットワークチップを用いて制御指令を受信すること、制御指令に含まれるＺｉｇｂｅｅ機器のＩＤを取得すること、及びＺｉｇｂｅｅチップを用いてＺｉｇｂｅｅ機器のＩＤに対応するＺｉｇｂｅｅ機器へ制御指令を転送することのために用いられるＺｉｇｂｅｅゲートウェイへ、制御指令を転送するように構成される送信モジュールと、を含み、
標的ネットワークチップに対応するネットワークタイプはＺｉｇｂｅｅネットワークのネットワークタイプと異なる。
【００１７】
選択的な実施例において、制御指令はＺｉｇｂｅｅゲートウェイのＩＤを有し、
送信モジュールは、制御指令に含まれるＺｉｇｂｅｅゲートウェイのＩＤを取得し、ＺｉｇｂｅｅゲートウェイのＩＤに基づいてＺｉｇｂｅｅゲートウェイへ制御指令を転送するように構成される。
【００１８】
選択的な実施例において、当該装置は、
Ｚｉｇｂｅｅ機器のＩＤに基づいて、予め記憶した対応関係からＺｉｇｂｅｅゲートウェイのＩＤを検索するように構成される検索モジュールと、
ＺｉｇｂｅｅゲートウェイのＩＤを制御指令に追加し、ＺｉｇｂｅｅゲートウェイのＩＤに基づいてＺｉｇｂｅｅゲートウェイへ制御指令を送信するように構成される送信モジュールとをさらに含む。
【００１９】
選択的な実施例において、当該装置は、
Ｚｉｇｂｅｅ機器から送信した、Ｚｉｇｂｅｅ機器のＺｉｇｂｅｅゲートウェイにアクセスする際に報告したＺｉｇｂｅｅゲートウェイのＩＤとＺｉｇｂｅｅ機器のＩＤとの間の対応関係、を受信するように構成される第２の受信モジュールと、
対応関係を記憶するように構成される記憶モジュールとをさらに含む。
【００２０】
選択的な実施例において、標的ネットワークチップの対応するネットワークタイプはワイヤレスフィデリティ（ＷｉＦｉ）ネットワークであり、
Ｚｉｇｂｅｅ機器のＩＤが媒体アクセス制御ＭＡＣアドレスであり、
ＺｉｇｂｅｅゲートウェイのＩＤは、機器ＩＤである。
【００２１】
本発明に係る実施例の第４の態様によれば、データ通信装置を提供した。前記装置は、プロセッサーと、プロセッサーで実行可能な指令を記憶するためのメモリと、を含み、
プロセッサーは、
Ｚｉｇｂｅｅ機器のＩＤを有する制御指令を受信し、
標的ネットワークチップを用いて制御指令を受信すること、制御指令に含まれるＺｉｇｂｅｅ機器のＩＤを取得すること、及びＺｉｇｂｅｅチップを用いてＺｉｇｂｅｅ機器のＩＤに対応するＺｉｇｂｅｅ機器へ制御指令を転送することのために用いられるＺｉｇｂｅｅゲートウェイへ、制御指令を転送するように構成される。
標的ネットワークチップに対応するネットワークタイプはＺｉｇｂｅｅネットワークのネットワークタイプと異なる。
【００２２】
本発明の実施例の第５の態様によれば、Ｚｉｇｂｅｅゲートウェイを提供した。前記Ｚｉｇｂｅｅゲートウェイは、制御チップと、制御チップで実行可能な指令を記憶するためのメモリと、制御チップと接続する標的ネットワークチップ及びＺｉｇｂｅｅチップと、を含む。
制御チップは、
標的ネットワークチップを用いて、Ｚｉｇｂｅｅ機器のＩＤを有する制御指令を受信し、
制御指令に有するＺｉｇｂｅｅ機器のＩＤを取得し、
Ｚｉｇｂｅｅチップを用いて、ＩＤに対応すＺｉｇｂｅｅ機器へ制御指令を転送するように構成される。
標的ネットワークチップに対応するネットワークタイプはＺｉｇｂｅｅネットワークのネットワークタイプと異なる。
【００２３】
本発明の実施例の第６の態様によれば、プロセッサに実行されることにより、上記データ通信方法を実現するプログラムを提供した。
【００２４】
本発明の実施例の第７の態様によれば、上記プログラムが記録された記録媒体を提供した。
【発明の効果】
【００２５】
本発明に提供された技術案によれば、以下のような技術効果が奏される。
【００２６】
すなわち、サーバーがＺｉｇｂｅｅ機器のＩＤを有する制御指令を受信し、且つ、サーバーが制御指令をＺｉｇｂｅｅゲートウェイへ転送し、Ｚｉｇｂｅｅゲートウェイを介して制御指令をＺｉｇｂｅｅ機器へ送信することにより、携帯端末が制御指令をＺｉｇｂｅｅ機器へ送信することができない問題を解决した。且つ、サーバーによる中継を達成し、携帯端末がサーバーのみに通信すれば、Ｚｉｇｂｅｅゲートウェイ及びＺｉｇｂｅｅ機器に対するアドレッシングを、サーバーによって実現することができ、携帯端末が制御指令をＺｉｇｂｅｅ機器へ送信できる効果が奏される。
【００２７】
なお、前記一般的な記載及び後述の詳細な記載は、単なる例示的で解釈的な記載であり、本発明を限定するものではない。
【図面の簡単な説明】
【００２８】
ここの図面は、明細書に組み入れて本明細書の一部分を構成し、本発明に該当する実施例を例示するとともに、明細書とともに本発明の原理を解釈することに用いられる。
【図１】本発明の一例示的な実施例に係るデータ通信システムを示すブロック図である。
【図２】本発明の一例示的な実施例に係るデータ通信方法を示すフローチャートである。
【図３】本発明の他の例示的な実施例に係るデータ通信方法を示すフローチャートである。
【図４】本発明の他の例示的な実施例に係るデータ通信方法を示すフローチャートである。
【図５】本発明の一例示的な実施例に係るデータ通信装置を示すブロック図である。
【図６】本発明の他の例示的な実施例に係るデータ通信装置を示すブロック図である。
【図７】本発明の一例示的な実施例に係るデータ通信装置を示すブロック図である。
【図８】本発明の一例示的な実施例に係るＺｉｇｂｅｅゲートウェイを示すブロック図である。
【発明を実施するための形態】
【００２９】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施例に記載の実施形態は、本発明と一致する全ての実施形態を代表するものではない。即ち、それらは、特許請求の範囲に記載の本発明のある側面に一致する装置及び方法の例に過ぎない。
【００３０】
一例としてＺｉｇｂｅｅ機器がスマートランプに用いられた場合は、携帯端末は、制御指令をＺｉｇｂｅｅ機器へ送信する必要がある。当該制御指令は、スマートランプを点灯すること、又はスマートランプを消灯することであってもよい。しかしながら、Ｚｉｇｂｅｅ機器がＺｉｇｂｅｅゲートウェイで提供されるＺｉｇｂｅｅネットワークに位置するために、携帯端末は、Ｚｉｇｂｅｅ機器へ制御指令を送信する場合、Ｚｉｇｂｅｅゲートウェイ及びＺｉｇｂｅｅ機器に対するアドレッシングを解决する必要がある。
【００３１】
図１は、本発明の一例示的な実施例に係るデータ通信システムを示すブロック図である。当該データ通信システムは、サーバー１２０と、サーバーに接続するＺｉｇｂｅｅゲートウェイ１４０と、Ｚｉｇｂｅｅゲートウェイ１４０に接続する少なくとも１つのＺｉｇｂｅｅ機器１６０とを含む。
【００３２】
当該Ｚｉｇｂｅｅゲートウェイ１４０には、標的ネットワークチップ１４２及びＺｉｇｂｅｅチップ１４４が同時に設置される。
【００３３】
当該サーバー１２０は、Ｚｉｇｂｅｅ機器１６０のＩＤを有する制御指令を受信するように構成される。
【００３４】
また、当該サーバー１２０は、当該Ｚｉｇｂｅｅゲートウェイ１４０へ制御指令を転送するように構成される。
【００３５】
当該Ｚｉｇｂｅｅゲートウェイ１４０は、サーバー１２０が送信した制御指令を標的ネットワークチップ１４２を用いて受信し、制御指令に含まれるＺｉｇｂｅｅ機器１６０のＩＤを取得し、当該Ｚｉｇｂｅｅチップ１４４を用いて対応するＺｉｇｂｅｅ機器１６０へ制御指令を転送するように構成される。
【００３６】
当該Ｚｉｇｂｅｅ機器１６０は、当該Ｚｉｇｂｅｅ機器１６０が転送した制御指令を受信するように構成される。
【００３７】
当該標的ネットワークチップに対応するネットワークタイプはＺｉｇｂｅｅネットワークのネットワークタイプと異なる。
【００３８】
上記で述べたように、本発明の実施例で提供されたデータ通信システムでは、サーバーがＺｉｇｂｅｅ機器のＩＤを有する制御指令を受信し、且つ、サーバーがＺｉｇｂｅｅゲートウェイのＩＤに基づいて制御指令をＺｉｇｂｅｅゲートウェイへ転送し、Ｚｉｇｂｅｅゲートウェイを介して制御指令をＺｉｇｂｅｅ機器へ送信することにより、携帯端末が制御指令をＺｉｇｂｅｅ機器へ送信することができない問題を解决した。且つ、サーバーによる中継を達成し、携帯端末がサーバーのみに通信すれば、Ｚｉｇｂｅｅゲートウェイ及びＺｉｇｂｅｅ機器に対するアドレッシングを、サーバーによって実現することができ、携帯端末が制御指令をＺｉｇｂｅｅ機器へ送信できる効果が奏される。
【００３９】
図１に示す実施例に基づく選択的な実施例において、制御指令はＺｉｇｂｅｅゲートウェイ１４０のＩＤを有し、
サーバー１２０は、制御指令に含まれるＺｉｇｂｅｅゲートウェイ１４０のＩＤを取得し、Ｚｉｇｂｅｅゲートウェイ１４０のＩＤに基づいてＺｉｇｂｅｅゲートウェイ１４０へ制御指令を転送するように構成される。
【００４０】
図１に示す実施例に基づく選択的な実施例において、サーバー１２０は、前記Ｚｉｇｂｅｅ機器１６０のＩＤに基づいて、予め記憶した対応関係から前記Ｚｉｇｂｅｅゲートウェイ１４０のＩＤを検索し、前記Ｚｉｇｂｅｅゲートウェイ１４０のＩＤを前記制御指令に追加し、前記Ｚｉｇｂｅｅゲートウェイ１４０のＩＤに基づいて前記Ｚｉｇｂｅｅゲートウェイ１４０へ前記制御指令を送信するように構成される。
【００４１】
図１に示す実施例に基づく選択的な実施例において、Ｚｉｇｂｅｅ機器１６０は、更に、Ｚｉｇｂｅｅゲートウェイ１４０にアクセスする場合、Ｚｉｇｂｅｅゲートウェイ１４０のＩＤとＺｉｇｂｅｅ機器１６０のＩＤとの間の対応関係を、サーバー１２０へ報告するように構成され、
サーバー１２０は、対応関係を記憶するように構成される。
【００４２】
図１に示す実施例に基づく選択的な実施例において、標的ネットワークチップの対応するネットワークタイプは、ＷｉＦｉ（Ｗｉｒｅｌｅｓｓ−Ｆｉｄｅｌｉｔｙ、ワイヤレスフィデリティ）ネットワークであり、Ｚｉｇｂｅｅ機器のＩＤは、媒体アクセス制御ＭＡＣ（Ｍｅｄｉａ  Ａｃｃｅｓｓ  Ｃｏｎｔｒｏｌ、メディアアクセス制御）アドレスであり、ＺｉｇｂｅｅゲートウェイのＩＤは、ＤＩＤ（ｄｅｖｉｃｅ  ｉｄ、機器ＩＤ）である。
【００４３】
図２は、本発明の実施例に係るデータ通信方法を示すフローチャートである。この実施例では、当該データ通信方法が図１に示すサーバーに適用されることを例として説明する。前記の方法は、下記ステップ２０２、ステップ２０４を含む。
【００４４】
ステップ２０２において、Ｚｉｇｂｅｅ機器のＩＤを有する制御指令を受信する。
【００４５】
選択的に、当該制御指令は、携帯装置から送信した制御指令、例えばスマートランプを点灯する指令である。
【００４６】
選択的に、Ｚｉｇｂｅｅ機器のＩＤがＭＡＣアドレスである。
【００４７】
ステップ２０４において、標的ネットワークチップを用いて制御指令を受信すること、制御指令に含まれるＺｉｇｂｅｅ機器のＩＤを取得すること、及びＺｉｇｂｅｅチップを用いてＺｉｇｂｅｅ機器のＩＤに対応するＺｉｇｂｅｅ機器へ制御指令を転送することのために用いられるＺｉｇｂｅｅゲートウェイへ、制御指令を転送する。
【００４８】
標的ネットワークチップに対応するネットワークタイプはＺｉｇｂｅｅネットワークのネットワークタイプと異なる。
【００４９】
上記で述べたように、この実施例で提供されたデータ通信方法では、サーバーがＺｉｇｂｅｅ機器のＩＤを有する制御指令を受信し、且つ、サーバーが制御指令をＺｉｇｂｅｅゲートウェイへ転送し、Ｚｉｇｂｅｅゲートウェイを介して制御指令をＺｉｇｂｅｅ機器へ送信することにより、携帯端末が制御指令をＺｉｇｂｅｅ機器へ送信することができない問題を解决した。且つ、サーバーによる中継を達成し、携帯端末がサーバーのみに通信すれば、Ｚｉｇｂｅｅゲートウェイ及びＺｉｇｂｅｅ機器に対するアドレッシングを、サーバーによって実現することができ、携帯端末が制御指令をＺｉｇｂｅｅ機器へ送信できる効果が奏される。
【００５０】
図３は、本発明の実施例に係る他のデータ通信方法を示すフローチャートである。この実施例では、当該データ通信方法が図１に示すデータ通信システムに適用されることを例として説明する。前記の方法は、下記ステップ３０１〜ステップ３０６を含む。
【００５１】
ステップ３０１において、サーバーは、ＺｉｇｂｅｅゲートウェイのＩＤ及びＺｉｇｂｅｅ機器のＩＤを有する制御指令を受信する。
【００５２】
選択的に、当該制御指令は、携帯装置から送信した制御指令、例えばスマートランプを点灯する指令である。
【００５３】
選択的に、ＺｉｇｂｅｅゲートウェイのＩＤ及びＺｉｇｂｅｅ機器のＩＤがいずれもＭＡＣアドレスである。
【００５４】
ステップ３０２において、サーバーは、制御指令に含まれるＺｉｇｂｅｅゲートウェイのＩＤを取得する。
【００５５】
ステップ３０３において、サーバーは、ＺｉｇｂｅｅゲートウェイのＩＤに基づいてＺｉｇｂｅｅゲートウェイへ制御指令を転送する。
【００５６】
ステップ３０４において、標的ネットワークチップを用いて制御指令を受信する。
【００５７】
その中で、標的ネットワークチップに対応するネットワークタイプはＺｉｇｂｅｅネットワークのネットワークタイプと異なる。選択的に、標的ネットワークチップは、ＷｉＦｉチップである。
【００５８】
ステップ３０５において、Ｚｉｇｂｅｅゲートウェイは、制御指令に含まれるＺｉｇｂｅｅ機器のＩＤを取得する。
【００５９】
ステップ３０６において、Ｚｉｇｂｅｅゲートウェイは、Ｚｉｇｂｅｅチップを用いてＺｉｇｂｅｅ機器のＩＤに対応するＺｉｇｂｅｅ機器へ、制御指令を転送する。
【００６０】
Ｚｉｇｂｅｅ機器は、当該制御指令を受信し、且つ当該制御指令を実行する。
【００６１】
上記で述べたように、この実施例で提供されたデータ通信方法では、サーバーがＺｉｇｂｅｅゲートウェイのＩＤ及びＺｉｇｂｅｅ機器のＩＤを有する制御指令を受信し、且つ、サーバーがＺｉｇｂｅｅゲートウェイのＩＤに基づいて制御指令をＺｉｇｂｅｅゲートウェイへ転送し、Ｚｉｇｂｅｅゲートウェイを介して制御指令をＺｉｇｂｅｅ機器へ送信することにより、携帯端末が制御指令をＺｉｇｂｅｅ機器へ送信することができない問題を解决した。且つ、サーバーによる中継を達成し、携帯端末がサーバーのみに通信すれば、Ｚｉｇｂｅｅゲートウェイ及びＺｉｇｂｅｅ機器に対するアドレッシングを、サーバーによって実現することができ、携帯端末が制御指令をＺｉｇｂｅｅ機器へ送信できる効果が奏される。
【００６２】
図３に示す実施例において、制御指令がＺｉｇｂｅｅゲートウェイのＩＤ及びＺｉｇｂｅｅ機器のＩＤを同時に有する必要があるため、携帯端末が２つのＩＤを同時に取得した場合だけ、制御指令を生成し送信することができる。携帯端末が制御指令を生成し送信する難度を簡略化するための実施例を図４に示す。
【００６３】
図４は、本発明の実施例に係る他のデータ通信方法を示すフローチャートである。この実施例では、当該データ通信方法が図１に示すデータ通信システムに適用されることを例として説明する。前記の方法は、ステップ４０１〜ステップ４１０を含む。
【００６４】
ステップ４０１において、Ｚｉｇｂｅｅ機器がＺｉｇｂｅｅゲートウェイにアクセスする。
【００６５】
Ｚｉｇｂｅｅ機器は、Ｚｉｇｂｅｅゲートウェイにアクセスすることができ、当該Ｚｉｇｂｅｅゲートウェイは、標的ネットワークチップ及びＺｉｇｂｅｅチップが同時に設定されるゲートウェイである。
【００６６】
選択的に、標的ネットワークチップは、ＷｉＦｉチップである。即ち、Ｚｉｇｂｅｅゲートウェイは、ＷｉＦｉネットワーク及びＺｉｇｂｅｅネットワークにおいて通信する機能を同時に具備する。
【００６７】
ステップ４０２において、Ｚｉｇｂｅｅ機器は、ＺｉｇｂｅｅゲートウェイのＩＤとＺｉｇｂｅｅ機器のＩＤとの間の対応関係を、サーバーへ送信する。
【００６８】
Ｚｉｇｂｅｅ機器には、サーバーのＩＰアドレスであってもよいサーバーのＩＤを予め記憶する必要がある。
【００６９】
その後Ｚｉｇｂｅｅ機器は、Ｚｉｇｂｅｅゲートウェイにアクセスした後、サーバーへ対応関係を報告する。当該対応関係は、ＺｉｇｂｅｅゲートウェイのＩＤとＺｉｇｂｅｅ機器のＩＤとの間の対応関係である。
【００７０】
選択的に、ＺｉｇｂｅｅゲートウェイのＩＤはＤＩＤ（機器ＩＤ）であり、Ｚｉｇｂｅｅ機器のＩＤはＭＡＣアドレスである。ＤＩＤは、ＷｉＦｉネットワークから機器をアドレッシングするために用いられる。ＭＡＣアドレスは、Ｚｉｇｂｅｅネットワークから機器をアドレッシングするために用いられる。
【００７１】
ステップ４０３において、サーバーは、当該対応関係を記憶する。
【００７２】
サーバーは、各Ｚｉｇｂｅｅ機器が報告した対応関係を記憶する。当該対応関係を表１に模式的に示す。
【００７３】
【表１】
2017535084.tif 000012
【００７４】
ステップ４０４において、サーバーは、Ｚｉｇｂｅｅ機器のＩＤを有する制御指令を受信する。
【００７５】
この実施例において、制御指令には、Ｚｉｇｂｅｅ機器のＩＤのみを有すればよい。
【００７６】
ステップ４０５において、サーバーは、Ｚｉｇｂｅｅ機器のＩＤに基づいて、予め記憶した対応関係からＺｉｇｂｅｅゲートウェイのＩＤを検索する。
【００７７】
ステップ４０６において、サーバーは、ＺｉｇｂｅｅゲートウェイのＩＤを制御指令に追加する。
【００７８】
例えば、制御指令は、「Ｚｉｇｂｅｅゲートウェイ１のＤＩＤ１、Ｚｉｇｂｅｅ機器１のＭＡＣアドレス１、オープン指令」である。
【００７９】
ステップ４０７において、サーバーは、ＺｉｇｂｅｅゲートウェイのＩＤに基づいて制御指令をＺｉｇｂｅｅゲートウェイまで送信する。
【００８０】
ＤＩＤは、ＷｉＦｉネットワークから機器をアドレッシングするために用いられる。サーバーは、ＺｉｇｂｅｅゲートウェイのＤＩＤに基づいてＺｉｇｂｅｅゲートウェイへ制御指令を送信する。
【００８１】
ステップ４０８において、標的ネットワークチップを用いてＺｉｇｂｅｅゲートウェイが制御指令を受信する。
【００８２】
その中で、標的ネットワークチップに対応するネットワークタイプはＺｉｇｂｅｅネットワークのネットワークタイプと異なる。選択的に、標的ネットワークチップは、ＷｉＦｉチップである。
【００８３】
ステップ４０９において、Ｚｉｇｂｅｅゲートウェイは、制御指令に含まれるＺｉｇｂｅｅ機器のＩＤを取得する。
【００８４】
ステップ４１０において、Ｚｉｇｂｅｅゲートウェイは、Ｚｉｇｂｅｅチップを用いてＺｉｇｂｅｅ機器のＩＤに対応するＺｉｇｂｅｅ機器へ、制御指令を転送する。
【００８５】
Ｚｉｇｂｅｅ機器は、当該制御指令を受信し、且つ当該制御指令を実行する。
【００８６】
上記で述べたように、この実施例で提供されたデータ通信方法では、サーバーがＺｉｇｂｅｅ機器のＩＤを有する制御指令を受信し、且つ、サーバーがＺｉｇｂｅｅ機器のＩＤに基づいて、予め記憶した対応関係にＺｉｇｂｅｅゲートウェイのＩＤを検索し、ＺｉｇｂｅｅゲートウェイのＩＤに基づいて制御指令をＺｉｇｂｅｅゲートウェイへ転送し、Ｚｉｇｂｅｅゲートウェイを介して制御指令をＺｉｇｂｅｅ機器へ送信することにより、携帯端末が制御指令をＺｉｇｂｅｅ機器へ送信することができない問題を解决した。且つ、サーバーによる中継を達成し、携帯端末がサーバーのみに通信すれば、Ｚｉｇｂｅｅゲートウェイ及びＺｉｇｂｅｅ機器に対するアドレッシングを、サーバーによって実現することができ、携帯端末が制御指令をＺｉｇｂｅｅ機器へ送信できる効果が奏される。
【００８７】
本実施例で提供されたデータ通信方法は、さらに、Ｚｉｇｂｅｅ機器のＩＤとＺｉｇｂｅｅゲートウェイのＩＤとの間の対応関係をサーバーに予め記憶したため、制御指令を生成する際に、Ｚｉｇｂｅｅ機器のＩＤのみを有する必要があればよく、制御指令の生成難度を低減した。
【００８８】
１つの模式的な例において、ユーザは、Ｚｉｇｂｅｅ技術を用いた１つのスマートランプを購入し、当該スマートランプのメーカーは、インターネット上に、バックグラウンドサービスを提供するためのサーバーを配置する。ユーザは、自分の携帯電話に、当該メーカーにより提供されるアプリプログラムをインストールする。例えば、当該スマートランプの筐体に二次元コードが設けられている。ユーザは、当該アプリプログラムを用いて当該二次元コードを走査し、当該スマートランプのＭＡＣアドレスを取得する。これにより、自宅におけるスマート家具機器として当該スマートランプをバインディングすることができる。当該スマートランプは、Ｚｉｇｂｅｅゲートウェイにアクセスする際に、自身のＭＡＣアドレスとＺｉｇｂｅｅゲートウェイのＤＩＤとの間の対応関係をサーバーへ送信し、サーバーは、当該対応関係を保存する。
【００８９】
ユーザは、当該スマートランプを点灯しようとする場合、アプリプログラムに対して「点灯」ボタンをクリックする。その後、当該アプリプログラムは、スマートランプのＭＡＣアドレスを有する１つの「点灯」の制御指令を生成し、且つ、当該アプリプログラムは、サーバーへ当該「点灯」の制御指令を送信する。そして、サーバーは、スマートランプのＭＡＣアドレスに基づいてＺｉｇｂｅｅゲートウェイのＤＩＤを検索し、且つＺｉｇｂｅｅゲートウェイのＤＩＤを「点灯」の制御指令に追加する。その後、サーバーは、Ｚｉｇｂｅｅゲートウェイへ「点灯」の指令を送信する。Ｚｉｇｂｅｅゲートウェイは、当該「点灯」の制御指令を受信した後、スマートランプのＭＡＣアドレスに基づいて「点灯」の制御指令をスマートランプへ送信する。スマートランプは、当該「点灯」の制御指令に基づいて点灯する。
【００９０】
以下は、本発明に係る装置の実施例であり、本発明に係る方法の実施例を実行するために用いられてもよい。本発明に係る装置の実施例に記載されない詳細について、本発明に係る方法の実施例を参照することができる。
【００９１】
図５は、一例示的な実施例に係るデータ通信装置を示すブロック図である。図５に示すように、当該データ通信装置は、ソフトウェア、ハードウェア又は両方の組み合わせにより、図１に示すサーバーの全部又は一部になるように実現することができる。当該装置は、下記第１の受信モジュール５２０と、送信モジュール５４０とを含むが、これらに限定されるものではない。
【００９２】
第１の受信モジュール５２０は、Ｚｉｇｂｅｅ機器のＩＤを有する制御指令を受信するように構成され、
送信モジュール５４０は、標的ネットワークチップを用いて制御指令を受信すること、制御指令に含まれるＺｉｇｂｅｅ機器のＩＤを取得すること、及びＺｉｇｂｅｅチップを用いてＺｉｇｂｅｅ機器のＩＤに対応するＺｉｇｂｅｅ機器へ制御指令を転送することのために用いられるＺｉｇｂｅｅゲートウェイへ、制御指令を転送するように構成され、
その中で、標的ネットワークチップに対応するネットワークタイプはＺｉｇｂｅｅネットワークのネットワークタイプと異なる。
【００９３】
上記で述べたように、この実施例で提供されたデータ通信装置では、Ｚｉｇｂｅｅ機器のＩＤを有する制御指令を受信し、且つ、制御指令をＺｉｇｂｅｅゲートウェイへ転送し、Ｚｉｇｂｅｅゲートウェイを介して制御指令をＺｉｇｂｅｅ機器へ送信することにより、携帯端末が制御指令をＺｉｇｂｅｅ機器へ送信することができない問題を解决した。且つ、データ通信装置による中継を達成し、携帯端末がデータ通信装置のみに通信すれば、Ｚｉｇｂｅｅゲートウェイ及びＺｉｇｂｅｅ機器に対するアドレッシングを、データ通信装置によって実現することができ、携帯端末が制御指令をＺｉｇｂｅｅ機器へ送信できる効果が奏される。
【００９４】
図６は、一例示的な実施例に係るデータ通信装置を示すブロック図である。図６に示すように、当該データ通信装置は、ソフトウェア、ハードウェア又は両方の組み合わせにより、図１に示すサーバーの全部又は一部になるように実現することができる。当該装置は、下記第１の受信モジュール５２０と、送信モジュール５４０とを含むが、これらに限定されるものではない。
【００９５】
第１の受信モジュール５２０は、Ｚｉｇｂｅｅ機器のＩＤを有する制御指令を受信するように構成され、
送信モジュール５４０は、標的ネットワークチップを用いて制御指令を受信すること、制御指令に含まれるＺｉｇｂｅｅ機器のＩＤを取得すること、Ｚｉｇｂｅｅチップを用いてＺｉｇｂｅｅ機器のＩＤに対応するＺｉｇｂｅｅ機器へ制御指令を転送することのために用いられるＺｉｇｂｅｅゲートウェイへ、制御指令を転送するように構成され、
その中で、標的ネットワークチップに対応するネットワークタイプはＺｉｇｂｅｅネットワークのネットワークタイプと異なる。
【００９６】
第１の可能な実施形態では、制御指令はＺｉｇｂｅｅゲートウェイのＩＤを有し、
送信モジュール５４０は、制御指令に含まれるＺｉｇｂｅｅゲートウェイのＩＤを取得し、ＺｉｇｂｅｅゲートウェイのＩＤに基づいてＺｉｇｂｅｅゲートウェイへ制御指令を転送するように構成される。
【００９７】
第２の可能な実施形態では、当該装置は、
Ｚｉｇｂｅｅ機器のＩＤに基づいて、予め記憶した対応関係からＺｉｇｂｅｅゲートウェイのＩＤを検索するように構成される検索モジュール５３０と、
ＺｉｇｂｅｅゲートウェイのＩＤを制御指令に追加し、ＺｉｇｂｅｅゲートウェイのＩＤに基づいてＺｉｇｂｅｅゲートウェイへ制御指令を送信するように構成される送信モジュール５４０とをさらに含む。
【００９８】
第２の可能な実施形態では、当該装置は、
Ｚｉｇｂｅｅ機器から送信した、Ｚｉｇｂｅｅ機器のＺｉｇｂｅｅゲートウェイにアクセスする際に報告したＺｉｇｂｅｅゲートウェイのＩＤとＺｉｇｂｅｅ機器のＩＤとの間の対応関係、を受信するように構成される第２の受信モジュール５１２と、
対応関係を記憶するように構成される記憶モジュール５１４とをさらに含む。
【００９９】
選択的に、標的ネットワークチップの対応するネットワークタイプはＷｉＦｉネットワークであり、Ｚｉｇｂｅｅ機器のＩＤはＭＡＣアドレスであり、ＺｉｇｂｅｅゲートウェイのＩＤはＤＩＤである。
【０１００】
上記の実施例に係る装置について、各モジュールが操作を実行する具体的な形態は、すでに当該方法に係る実施例において詳細に記載され、ここで、詳細に説明しない。
【０１０１】
本発明の一例示的な実施例では、本発明に係るデータ通信方法を実現することができるデータ通信装置を提供した。
【０１０２】
当該データ通信装置は、
Ｚｉｇｂｅｅ機器のＩＤを有する制御指令を受信し、
標的ネットワークチップを用いて制御指令を受信すること、制御指令に含まれるＺｉｇｂｅｅ機器のＩＤを取得すること、及びＺｉｇｂｅｅチップを用いてＺｉｇｂｅｅ機器のＩＤに対応するＺｉｇｂｅｅ機器へ制御指令を転送することのために用いられるＺｉｇｂｅｅゲートウェイへ、制御指令を転送するように構成されるプロセッサーと、
プロセッサーで実行可能な指令を記憶するためのメモリと、を含み、
その中で、標的ネットワークチップに対応するネットワークタイプはＺｉｇｂｅｅネットワークのネットワークタイプと異なる。
【０１０３】
図７は、他の例示的な実施例に係るデータ通信装置を示すブロック図である。例えば、装置７００は、ネットワーク側の機器として提供されることができる。図７に示すように、装置７００は、１つ以上のプロセッサーをさらに備えることができる処理部品７０２を含み、及び、処理部品７０２で実行可能な指令、例えばアプリプログラムを記憶するためのメモリ７０４の代表するメモリ資源を含む。メモリ７０４に記憶されるアプリプログラムは、それぞれの指令セットに対応する一つ以上のモジュールを含んでもよい。なお、処理部品７０２は、指令を実行して上記データ通信方法を実行するように構成される。
【０１０４】
装置７００は、さらに、装置７００の電源管理を実行するように構成される一つの電源部品７０６、装置７００をネットワークに接続するように構成される一つの有線又は無線ネットワークインターフェイス７０８、及び一つの入出力（Ｉ／Ｏ）インターフェイス７１０を含んでもよい。装置７００は、メモリ７０４に記憶されたオペレーティング系統（ＯＳ）、例えば、Ｗｉｎｄｏｗｓ  Ｓｅｒｖｅｒ（登録商標）、Ｍａｃ  ＯＳ  Ｘ（登録商標）、Ｕｎｉｘ（登録商標）、Ｌｉｎｕｘ（登録商標）、ＦｒｅｅＢＳＤ（登録商標）、または類似したものに基づいて操作する。
【０１０５】
図８は、他の実施例で提供されたＺｉｇｂｅｅゲートウェイを示すブロック図である。当該ゲートウェイは、制御チップ８２０と、制御チップ８２０で実行可能な指令を記憶するためのメモリ８４０と、制御チップ８２０に接続する標的ネットワークチップ８６０及びＺｉｇｂｅｅチップ８８０と、を含み、
その中で、制御チップ８２０は、
標的ネットワークチップ８６０を用いて、少なくともＺｉｇｂｅｅゲートウェイのＩＤ及びＺｉｇｂｅｅ機器のＩＤを有する制御指令を受信し、
制御指令に含まれるＺｉｇｂｅｅ機器のＩＤを取得し、
Ｚｉｇｂｅｅチップを用いて、ＩＤに対応すＺｉｇｂｅｅ機器へ制御指令を転送するように構成される。
【０１０６】
その中で、標的ネットワークチップに対応するネットワークタイプはＺｉｇｂｅｅネットワークのネットワークタイプと異なる。
【０１０７】
当業者は、明細書に対する理解、及び明細書に記載された発明に対する実施を通じて、本発明の他の実施形態を容易に得ることができる。本発明は、本発明に対する任意の変形、用途、または適応的な変化を含み、このような変形、用途、または適応的な変化は、本発明の一般的な原理に従い、本発明では開示していない本技術分野の公知知識、または通常の技術手段を含む。明細書と実施例は、例示的なものにすぎなく、本発明の本当の範囲と主旨は、以下の特許請求の範囲によって示される。
【０１０８】
本発明は、前記で記述され、図面で図示した特定の構成に限定されず、その範囲を離脱しない状況で、様々な修正や変更を実施してもよい。本発明の範囲は、添付される特許請求の範囲により限定される。
【０１０９】
本願は、出願番号が２０１５１０６０９６９８．１であって、出願日が２０１５年９月２２日ある中国特許出願に基づき優先権を主張するものであり、ここで参照するため当該中国特許出願の全ての内容を本願に援用する。
【国際調査報告】
2017535084.tif 000013
2017535084.tif 000014
2017535084.tif 000015
2017535084.tif 000016